(57)【要約】【課題】視覚認知障がいのトレーニングを効果的に支援できるトレーニング支援装置を提供する。【解決手段】トレーニング支援装置は、被験者の眼球の画像データを取得する画像データ取得部と、画像データに基づいて、被験者の注視点の位置データを検出する注視点検出部と、特徴点を有し、直線及び曲線の少なくとも一方により形成される図形を表示部に表示させる第１表示制御部と、表示部の表示画面において、複数の特徴点のそれぞれについて、特徴点を含む特定エリアを設定するエリア設定部と、複数の特定エリアのそれぞれを順次強調して前記表示部に表示させる第２表示制御部と、注視点の位置データに基づいて、注視点が強調して表示された特定エリアに存在するか否かを判定する判定部と、判定部の判定データに基づいて、被験者の評価データを出力する評価部と、を備える。【選択図】図５
2020072988.tif 000002
【特許請求の範囲】
【請求項１】
被験者の眼球の画像データを取得する画像データ取得部と、
前記画像データに基づいて、前記被験者の注視点の位置データを検出する注視点検出部と、
特徴点を有し、直線及び曲線の少なくとも一方により形成される図形を表示部に表示させる第１表示制御部と、
前記表示部の表示画面において、複数の前記特徴点のそれぞれについて、前記特徴点を含む特定エリアを設定するエリア設定部と、
複数の特定エリアのそれぞれを順次強調して前記表示部に表示させる第２表示制御部と、
前記注視点の位置データに基づいて、前記注視点が強調して表示された前記特定エリアに存在するか否かを判定する判定部と、
前記判定部の判定データに基づいて、前記被験者の評価データを出力する評価部と、
を備えるトレーニング支援装置。
【請求項２】
前記評価部は、前記判定部の判定データに基づいて、前記特定エリアが強調して表示された強調時間のうち前記注視点が強調して表示された前記特定エリアに存在した存在時間を算出して、前記評価データを出力する、
請求項１に記載のトレーニング支援装置。
【請求項３】
前記存在時間についての閾値を示す閾値データを記憶する記憶部を備え、
前記評価部は、前記強調時間に対する前記存在時間の割合が前記閾値以上のときに第３評価データを出力し、前記割合が前記閾値未満のときに第４評価データを出力する、
請求項２に記載のトレーニング支援装置。
【請求項４】
前記評価部は、複数の前記特定エリアのそれぞれについての前記割合の全部が前記閾値以上のときに前記第３評価データを出力する、
請求項３に記載のトレーニング支援装置。
【請求項５】
前記特徴点は、前記図形の交点及び端点の一方又は両方を含み、
前記評価部は、前記交点を含む前記特定エリアに前記注視点が存在した前記存在時間に、前記端点を含む前記特定エリアに前記注視点が存在した前記存在時間よりも重みを付けて前記評価データを出力する、
請求項４に記載のトレーニング支援装置。
【請求項６】
被験者の眼球の画像データを取得し、
前記画像データに基づいて、前記被験者の注視点の位置データを検出し、
特徴点を有し、直線及び曲線の少なくとも一方により形成される図形を示す図形データ表示部に出力して表示させ、
前記表示部の表示画面において複数の前記特徴点のそれぞれについて設定される前記特徴点を含む特定エリアを示す特定エリアデータを前記表示部に出力し、
前記特定エリアを強調させる強調指令データを前記表示部に出力して複数の特定エリアのそれぞれを順次強調させ、
前記注視点の位置データに基づいて、前記注視点が強調して表示された前記特定エリアに存在するか否かの判定結果を示す判定データを生成し、
前記判定データに基づいて、前記被験者の評価データを出力する、
トレーニング支援方法。
【発明の詳細な説明】
【技術分野】
【０００１】
本発明は、トレーニング支援装置、及びトレーニング支援方法に関する。
【背景技術】
【０００２】
視覚認知障がいとは、視力に問題が無いにもかかわらず、眼から入力された情報を正しく認知できない状態をいう。視覚認知障がいは、文字又は図形のような対象物をしっかりと見ること、又は見た対象物を正しく認識することが困難な症状を引き起こす。視覚認知障がいは、トレーニングにより改善されることが知られている。そのため、視覚認知障がいの早期診断、及びトレーニングの早期開始が要望される。
【０００３】
しかし、視覚認知障がいに対応できる医師又は保健師の数は不足していると言われており、視覚認知障がいについて早期対応が困難な現状にある。そのため、視覚認知障がいの診断を支援できる技術、及び視覚認知障がいのトレーニングを支援できる技術の開発が要望される。特許文献１には、注視点検出により診断を支援する技術が開示されている。
【先行技術文献】
【特許文献】
【０００４】
【特許文献１】特開２０１１−２０６５４２号公報
【発明の概要】
【発明が解決しようとする課題】
【０００５】
従来、視覚認知障がいの診断において、提供した図形を被験者に書き写させ、その書き写させた図形を評価することが行われている。しかし、このような手法では、視覚認知障がいの症状を特定することが困難である。すなわち、対象物をしっかりと見る力及び見た対象物を正しく認識する力のいずれの力に問題があるのかを切り分けることが困難である。また、視覚認知障がいの症状を特定できない場合、効果的なトレーニングを実施することが困難である。
【０００６】
本発明は、視覚認知障がいのトレーニングを効果的に支援できるトレーニング支援装置及びトレーニング支援方法を提供することを目的とする。
【課題を解決するための手段】
【０００７】
本発明は、被験者の眼球の画像データを取得する画像データ取得部と、  前記画像データに基づいて、前記被験者の注視点の位置データを検出する注視点検出部と、特徴点を有し、直線及び曲線の少なくとも一方により形成される図形を表示部に表示させる第１表示制御部と、前記表示部の表示画面において、複数の前記特徴点のそれぞれについて、前記特徴点を含む特定エリアを設定するエリア設定部と、複数の特定エリアのそれぞれを順次強調して前記表示部に表示させる第２表示制御部と、前記注視点の位置データに基づいて、前記注視点が強調して表示された前記特定エリアに存在するか否かを判定する判定部と、前記判定部の判定データに基づいて、前記被験者の評価データを出力する評価部と、を備えるトレーニング支援装置を提供する。
また本発明は、被験者の眼球の画像データを取得し、前記画像データに基づいて、前記被験者の注視点の位置データを検出し、特徴点を有し、直線及び曲線の少なくとも一方により形成される図形を示す図形データ表示部に出力して表示させ、前記表示部の表示画面において複数の前記特徴点のそれぞれについて設定される前記特徴点を含む特定エリアを示す特定エリアデータを前記表示部に出力し、前記特定エリアを強調させる強調指令データを前記表示部に出力して複数の特定エリアのそれぞれを順次強調させ、前記注視点の位置データに基づいて、前記注視点が強調して表示された前記特定エリアに存在するか否かの判定結果を示す判定データを生成し、前記判定データに基づいて、前記被験者の評価データを出力する、トレーニング支援方法を提供する。
【発明の効果】
【０００８】
本発明によれば、視覚認知障がいのトレーニングを効果的に支援できるトレーニング支援装置及びトレーニング支援方法が提供される。
【図面の簡単な説明】
【０００９】
【図１】図１は、第１実施形態に係る視線検出装置の一例を模式的に示す斜視図である。
【図２】図２は、第１実施形態に係る表示装置とステレオカメラ装置と照明装置と被験者の眼球との位置関係を模式的に示す図である。
【図３】図３は、第１実施形態に係る視線検出装置のハードウェア構成の一例を示す図である。
【図４】図４は、第１実施形態に係る視線検出装置の一例を示す機能ブロック図である。
【図５】図５は、第１実施形態に係る角膜曲率中心の位置データの算出方法を説明するための模式図である。
【図６】図６は、第１実施形態に係る角膜曲率中心の位置データの算出方法を説明するための模式図である。
【図７】図７は、第１実施形態に係るキャリブレーション処理の一例を説明するための模式図である。
【図８】図８は、第１実施形態に係るキャリブレーション処理の一例を示すフローチャートである。
【図９】図９は、第１実施形態に係る注視点検出処理の一例を説明するための模式図である。
【図１０】図１０は、第１実施形態に係る注視点検出処理の一例を示すフローチャートである。
【図１１】図１１は、第１実施形態に係る表示制御部が表示装置に表示させる図形の一例を示す図である。
【図１２】図１２は、第１実施形態に係る特定エリアの一例を模式的に示す図である。
【図１３】図１３は、被験者の注視点の動きの一例を示す図である。
【図１４】図１４は、被験者の注視点の動きの一例を示す図である。
【図１５】図１５は、被験者の注視点の動きの一例を示す図である。
【図１６】図１６は、本実施形態に係る出力装置の一例を示す図である。
【図１７】図１７は、第１実施形態に係る診断支援方法の一例を示すフローチャートである。
【図１８】図１８は、第１実施形態に係る特定エリアの一例を模式的に示す図である。
【図１９】図１９は、第２実施形態に係る視線検出装置の一例を示す機能ブロック図である。
【図２０】図２０は、第２実施形態に係る特定エリアの一例を模式的に示す図である。
【図２１】図２１は、第２実施形態に係る特定エリアが強調表示された状態の一例を示す図である。
【図２２】図２２は、第２実施形態に係る特定エリアが強調表示された状態の一例を示す図である。
【図２３】図２３は、第２実施形態に係る特定エリアが強調表示された状態の一例を示す図である。
【図２４】図２４は、第２実施形態に係る特定エリアが強調表示された状態の一例を示す図である。
【図２５】図２５は、第２実施形態に係る特定エリアが強調表示された状態の一例を示す図である。
【図２６】図２６は、第２実施形態に係る特定エリアが強調表示された状態の一例を示す図である。
【図２７】図２７は、第２実施形態に係るトレーニング支援方法の一例を示すフローチャートである。
【図２８】図２８は、第３実施形態に係る表示制御部が表示装置に表示させる図形の一例を示す図である。
【図２９】図２９は、第３実施形態に係る特定エリアの一例を模式的に示す図である。
【図３０】図３０は、第３実施形態に係る特定エリアが強調表示された状態の一例を示す図である。
【図３１】図３１は、第３実施形態に係る特定エリアが強調表示された状態の一例を示す図である。
【図３２】図３２は、第３実施形態に係る特定エリアが強調表示された状態の一例を示す図である。
【図３３】図３３は、第３実施形態に係る特定エリアが強調表示された状態の一例を示す図である。
【図３４】図３４は、第３実施形態に係る特定エリアが強調表示された状態の一例を示す図である。
【図３５】図３５は、第３実施形態に係る特定エリアが強調表示された状態の一例を示す図である。
【発明を実施するための形態】
【００１０】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１１】
以下の説明においては、３次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１２】
＜第１実施形態＞
第１実施形態について説明する。図１は、本実施形態に係る視線検出装置１００の一例を模式的に示す斜視図である。本実施形態において、視線検出装置１００は、視覚認知障がいの診断を支援する診断支援装置に使用される。
【００１３】
図１に示すように、視線検出装置１００は、表示装置１０１と、ステレオカメラ装置１０２と、照明装置１０３とを備える。
【００１４】
表示装置１００は、液晶ディスプレイ（liquid  crystal  display：ＬＣＤ）又は有機ＥＬディスプレイ（organic  electroluminescence  display：ＯＬＥＤ）のようなフラットパネルディスプレイを含む。表示装置１００は、表示部として機能する。
【００１５】
本実施形態において、表示装置１００の表示画面１０１Ｓは、ＸＹ平面と実質的に平行である。Ｘ軸方向は表示画面１０１Ｓの左右方向であり、Ｙ軸方向は表示画面１０１Ｓの上下方向であり、Ｚ軸方向は表示画面１０１Ｓと直交する奥行方向である。
【００１６】
ステレオカメラ装置１０２は、第１カメラ１０２Ａ及び第２カメラ１０２Ｂを有する。ステレオカメラ装置１０２は、表示装置１０１の表示画面１０１Ｓよりも下方に配置される。第１カメラ１０２Ａと第２カメラ１０２ＢとはＸ軸方向に配置される。第１カメラ１０２Ａは、第２カメラ１０２Ｂよりも−Ｘ方向に配置される。第１カメラ１０２Ａ及び第２カメラ１０２Ｂはそれぞれ、赤外線カメラを含み、例えば波長８５０［ｎｍ］の近赤外光を透過可能な光学系と、その近赤外光を受光可能な撮像素子とを有する。
【００１７】
照明装置１０３は、第１光源１０３Ａ及び第２光源１０３Ｂを有する。照明装置１０３は、表示装置１０１の表示画面１０１Ｓよりも下方に配置される。第１光源１０３Ａと第２光源１０３ＢとはＸ軸方向に配置される。第１光源１０３Ａは、第１カメラ１０２Ａよりも−Ｘ方向に配置される。第２光源１０３Ｂは、第２カメラ１０２Ｂよりも＋Ｘ方向に配置される。第１光源１０３Ａ及び第２光源１０３Ｂはそれぞれ、ＬＥＤ（light  emitting  diode）光源を含み、例えば波長８５０［ｎｍ］の近赤外光を射出可能である。なお、第１光源１０３Ａ及び第２光源１０３Ｂは、第１カメラ１０２Ａと第２カメラ１０２Ｂとの間に配置されてもよい。
【００１８】
図２は、本実施形態に係る表示装置１０１とステレオカメラ装置１０２と照明装置１０３と被験者の眼球１１１との位置関係を模式的に示す図である。
【００１９】
照明装置１０３は、検出光である近赤外光を射出して、被験者の眼球１１１を照明する。ステレオカメラ装置１０２は、第１光源１０３Ａから射出された検出光が眼球１１１に照射されたときに第２カメラ１０２Ｂで眼球１１１を撮影し、第２光源１０３Ｂから射出された検出光が眼球１１１に照射されたときに第１カメラ１０２Ａで眼球１１１を撮影する。
【００２０】
第１カメラ１０２Ａ及び第２カメラ１０２Ｂの少なくとも一方からフレーム同期信号が出力される。第１光源１０３Ａ及び第２光源１０３Ｂは、フレーム同期信号に基づいて検出光を射出する。第１カメラ１０２Ａは、第２光源１０３Ｂから射出された検出光が眼球１１１に照射されたときに、眼球１１１の画像データを取得する。第２カメラ１０２Ｂは、第１光源１０３Ａから射出された検出光が眼球１１１に照射されたときに、眼球１１１の画像データを取得する。
【００２１】
眼球１１１に検出光が照射されると、その検出光の一部は瞳孔１１２で反射し、その瞳孔１１２からの光がステレオカメラ装置１０２に入射する。また、眼球１１１に検出光が照射されると、角膜の虚像である角膜反射像１１３が眼球１１１に形成され、その角膜反射像１１３からの光がステレオカメラ装置１０２に入射する。
【００２２】
第１カメラ１０２Ａ及び第２カメラ１０２Ｂと第１光源１０３Ａ及び第２光源１０３Ｂとの相対位置が適切に設定されることにより、瞳孔１１２からステレオカメラ装置１０２に入射する光の強度は低くなり、角膜反射像１１３からステレオカメラ装置１０２に入射する光の強度は高くなる。すなわち、ステレオカメラ装置１０２で取得される瞳孔１１２の画像は低輝度となり、角膜反射像１１３の画像は高輝度となる。ステレオカメラ装置１０２は、取得される画像の輝度に基づいて、瞳孔１１２の位置及び角膜反射像１１３の位置を検出することができる。
【００２３】
図３は、本実施形態に係る視線検出装置１００のハードウェア構成の一例を示す図である。図３に示すように、視線検出装置１００は、表示装置１０１と、ステレオカメラ装置１０２と、照明装置１０３と、コンピュータシステム２０と、入出力インターフェース装置３０と、駆動回路４０と、出力装置５０と、入力装置６０と、音声出力装置７０とを備える。コンピュータシステム２０は、演算処理装置２０Ａ及び記憶装置２０Ｂを含む。
【００２４】
コンピュータシステム２０と、駆動回路４０と、出力装置５０と、入力装置６０と、音声出力装置７０とは、入出力インターフェース装置３０を介してデータ通信する。
【００２５】
演算処理装置２０Ａは、ＣＰＵ（central  processing  unit）のようなマイクロプロセッサを含む。記憶装置２０Ｂは、ＲＯＭ（read  only  memory）及びＲＡＭ（random  access  memory）のようなメモリ又はストレージを含む。演算処理装置２０Ａは、記憶装置２０Ｂに記憶されているコンピュータプログラムに従って演算処理を実施する。
【００２６】
駆動回路４０は、駆動信号を生成して、表示装置１０１、ステレオカメラ装置１０２、及び照明装置１０３に出力する。また、駆動回路４０は、ステレオカメラ装置１０２で取得された眼球１１１の画像データを、入出力インターフェース装置３０を介してコンピュータシステム２０に供給する。
【００２７】
出力装置５０は、フラットパネルディスプレイのような表示装置を含む。なお、出力装置５０は、印刷装置を含んでもよい。入力装置６０は、操作されることにより入力データを生成する。入力装置６０は、コンピュータシステム用のキーボード又はマウスを含む。なお、入力装置６０が表示装置である出力装置５０の表示画面に設けられたタッチセンサを含んでもよい。音声出力装置７０は、スピーカを含み、例えば被験者に注意を促すための音声を出力する。
【００２８】
本実施形態においては、表示装置１０１とコンピュータシステム２０とは別々の装置である。なお、表示装置１０１とコンピュータシステム２０とが一体でもよい。例えば視線検出装置１００がタブレット型パーソナルコンピュータを含む場合、そのタブレット型コンピュータに、コンピュータシステム２０、入出力インターフェース装置３０、駆動回路４０、及び表示装置１０１が搭載されてもよい。
【００２９】
図４は、本実施形態に係る視線検出装置１００の一例を示す機能ブロック図である。図４に示すように、入出力インターフェース装置３０は、入出力部３０２を有する。駆動回路４０は、表示装置１０１を駆動するための駆動信号を生成して表示装置１０１に出力する表示装置駆動部４０２と、第１カメラ１０２Ａを駆動するための駆動信号を生成して第１カメラ１０２Ａに出力する第１カメラ入出力部４０４Ａと、第２カメラ１０２Ｂを駆動するための駆動信号を生成して第２カメラ１０２Ｂに出力する第２カメラ入出力部４０４Ｂと、第１光源１０３Ａ及び第２光源１０３Ｂを駆動するための駆動信号を生成して第１光源１０３Ａ及び第２光源１０３Ｂに出力する光源駆動部４０６とを有する。また、第１カメラ入出力部４０４Ａは、第１カメラ１０２Ａで取得された眼球１１１の画像データを、入出力部３０２を介してコンピュータシステム２０に供給する。第２カメラ入出力部４０４Ｂは、第２カメラ１０２Ｂで取得された眼球１１１の画像データを、入出力部３０２を介してコンピュータシステム２０に供給する。
【００３０】
コンピュータシステム２０は、視線検出装置１００を制御する。コンピュータシステム２０は、表示制御部２０２と、光源制御部２０４と、画像データ取得部２０６と、入力データ取得部２０８と、位置検出部２１０と、曲率中心算出部２１２と、注視点検出部２１４と、エリア設定部２１６と、判定部２１８と、演算部２２０と、評価部２２２と、記憶部２２４と、出力制御部２２６とを有する。コンピュータシステム２０の機能は、演算処理装置２０Ａ及び記憶装置２０Ｂによって発揮される。
【００３１】
表示制御部２０２は、視覚認知障がいの診断を支援するための特定の図形を表示装置１０１に表示させる。本実施形態において、表示制御部２０２は、特徴点を有し、直線及び曲線の少なくとも一方により形成される図形を表示装置１０１に表示させる。特徴点は複数あり、例えば図形の交点及び端点の一方又は両方を含む。
【００３２】
光源制御部２０４は、光源駆動部４０６を制御して、第１光源１０３Ａ及び第２光源１０３Ｂの作動状態を制御する。光源制御部２０４は、第１光源１０３Ａと第２光源１０３Ｂとが異なるタイミングで検出光を射出するように第１光源１０３Ａ及び第２光源１０３Ｂを制御する。
【００３３】
画像データ取得部２０６は、第１カメラ１０２Ａ及び第２カメラ１０２Ｂを含むステレオカメラ装置１０２によって取得された被験者の眼球１１１の画像データを、入出力部３０２を介してステレオカメラ装置１０２から取得する。
【００３４】
入力データ取得部２０８は、入力装置６０が操作されることにより生成された入力データを、入出力部３０２を介して入力装置６０から取得する。
【００３５】
位置検出部２１０は、画像データ取得部２０６で取得された眼球１１１の画像データに基づいて、瞳孔中心の位置データを検出する。また、位置検出部２１０は、画像データ取得部２０６で取得された眼球１１１の画像データに基づいて、角膜反射中心の位置データを検出する。瞳孔中心は、瞳孔１１２の中心である。角膜反射中心は、角膜反射像１１３の中心である。位置検出部２１０は、被験者の左右それぞれの眼球１１１について、瞳孔中心の位置データ及び角膜反射中心の位置データを検出する。
【００３６】
曲率中心算出部２１２は、画像データ取得部２０６で取得された眼球１１１の画像データに基づいて、眼球１１１の角膜曲率中心の位置データを算出する。
【００３７】
注視点検出部２１４は、画像データ取得部２０６で取得された眼球１１１の画像データに基づいて、被験者の注視点の位置データを検出する。本実施形態において、注視点の位置データとは、三次元グローバル座標系で規定される被験者の視線ベクトルと表示装置１０１の表示画面１０１Ｓとの交点の位置データをいう。注視点検出部２１４は、眼球１１１の画像データから取得された瞳孔中心の位置データ及び角膜曲率中心の位置データに基づいて、被験者の左右それぞれの眼球１１１の視線ベクトルを検出する。視線ベクトルが検出された後、注視点検出部２１４は、視線ベクトルと表示画面１０１Ｓとの交点を示す注視点の位置データを検出する。
【００３８】
エリア設定部２１６は、表示装置１０１の表示画面１０１Ｓにおいて図形の特徴点を含む特定エリアを設定する。
【００３９】
判定部２１８は、注視点の位置データに基づいて、注視点が特定エリアに存在するか否かを判定する。
【００４０】
演算部２２０は、判定部２１８の判定データに基づいて、注視点が特定エリアに存在した存在時間を示す時間データを算出する。本実施形態において、時間データは、予め定められた制限時間のうち注視点が特定エリアに存在した存在時間を示す。制限時間とは、予め定められており、被験者に視覚認知障がいの診断を支援するための特定の図形を表示装置１０１に表示させる時間のことを指す。
【００４１】
評価部２２２は、演算部２２０で算出された時間データに基づいて、被験者の評価データを出力する。
【００４２】
記憶部２２４は、視覚認知障がいの診断を支援するためのデータを記憶する。本実施形態において、記憶部２２４は、制限時間のうち注視点が特定エリアに存在した存在時間についての閾値を示す閾値データを記憶する。
【００４３】
出力制御部２２６は、表示装置１０１、出力装置５０、及び音声出力装置７０の少なくとも一つにデータを出力する。本実施形態において、出力制御部２２６は、演算部２２０で算出された時間データを表示装置１０１又は出力装置５０に表示させる。また、出力制御部２２６は、被験者の左右それぞれの眼球１１１の注視点の位置データを表示装置１０１又は出力装置５０に表示させる。また、出力制御部２２６は、評価部２２２から出力された評価データを表示装置１０１又は出力装置５０に表示させる。
【００４４】
次に、本実施形態に係る曲率中心算出部２１２の処理の概要について説明する。曲率中心算出部２１２は、眼球１１１の画像データに基づいて、眼球１１１の角膜曲率中心の位置データを算出する。
【００４５】
図５及び図６は、本実施形態に係る角膜曲率中心１１０の位置データの算出方法を説明するための模式図である。図５は、１つの光源１０３Ｃで眼球１１１が照明される例を示す。図６は、第１光源１０３Ａ及び第２光源１０３Ｂで眼球１１１が照明される例を示す。
【００４６】
まず、図５に示す例について説明する。光源１０３Ｃは、第１カメラ１０２Ａと第２カメラ１０２Ｂとの間に配置される。瞳孔中心１１２Ｃは、瞳孔１１２の中心である。角膜反射中心１１３Ｃは、角膜反射像１１３の中心である。図５において、瞳孔中心１１２Ｃは、眼球１１１が１つの光源１０３Ｃで照明されたときの瞳孔中心を示す。角膜反射中心１１３Ｃは、眼球１１１が１つの光源１０３Ｃで照明されたときの角膜反射中心を示す。
【００４７】
角膜反射中心１１３Ｃは、光源１０３Ｃと角膜曲率中心１１０とを結ぶ直線上に存在する。角膜反射中心１１３Ｃは、角膜表面と角膜曲率中心１１０との中間点に位置付けられる。角膜曲率半径１０９は、角膜表面と角膜曲率中心１１０との距離である。
【００４８】
角膜反射中心１１３Ｃの位置データは、ステレオカメラ装置１０２によって検出される。角膜曲率中心１１０は、光源１０３Ｃと角膜反射中心１１３Ｃとを結ぶ直線上に存在する。曲率中心算出部２１２は、その直線上において角膜反射中心１１３Ｃからの距離が所定値となる位置データを、角膜曲率中心１１０の位置データとして算出する。所定値は、一般的な角膜の曲率半径値などから事前に定められた値であり、記憶部２２４に記憶されている。
【００４９】
次に、図６に示す例について説明する。本実施形態においては、第１カメラ１０２Ａ及び第２光源１０３Ｂと、第２カメラ１０２Ｂ及び第１光源１０３Ａとは、第１カメラ１０２Ａと第２カメラ１０２Ｂとの中間位置を通る直線に対して左右対称の位置に配置される。第１カメラ１０２Ａと第２カメラ１０２Ｂとの中間位置に仮想光源１０３Ｖが存在するとみなすことができる。
【００５０】
角膜反射中心１２１は、第２カメラ１０２Ｂで眼球１１１を撮影した画像における角膜反射中心を示す。角膜反射中心１２２は、第１カメラ１０２Ａで眼球１１１を撮影した画像における角膜反射中心を示す。角膜反射中心１２４は、仮想光源１０３Ｖに対応する角膜反射中心を示す。
【００５１】
角膜反射中心１２４の位置データは、ステレオカメラ装置１０２で取得された角膜反射中心１２１の位置データ及び角膜反射中心１２２の位置データに基づいて算出される。ステレオカメラ装置１０２は、ステレオカメラ装置１０２に規定される三次元ローカル座標系において角膜反射中心１２１の位置データ及び角膜反射中心１２２の位置データを検出する。ステレオカメラ装置１０２について、事前にステレオ較正法によるカメラ較正が実施され、ステレオカメラ装置１０２の三次元ローカル座標系を三次元グローバル座標系に変換する変換パラメータが算出される。その変換パラメータは、記憶部２２４に記憶されている。
【００５２】
曲率中心算出部２１２は、ステレオカメラ装置１０２で取得された角膜反射中心１２１の位置データ及び角膜反射中心１２２の位置データを、変換パラメータを使って、三次元グローバル座標系における位置データに変換する。曲率中心算出部２１２は、三次元グローバル座標系で規定される角膜反射中心１２１の位置データ及び角膜反射中心１２２の位置データに基づいて、三次元グローバル座標系における角膜反射中心１２４の位置データを算出する。
【００５３】
角膜曲率中心１１０は、仮想光源１０３Ｖと角膜反射中心１２４とを結ぶ直線１２３上に存在する。曲率中心算出部２１２は、直線１２３上において角膜反射中心１２４からの距離が所定値となる位置データを、角膜曲率中心１１０の位置データとして算出する。所定値は、一般的な角膜の曲率半径値などから事前に定められた値であり、記憶部２２４に記憶されている。
【００５４】
このように、光源が２つある場合でも、光源が１つである場合の方法と同様の方法で、角膜曲率中心１１０が算出される。
【００５５】
角膜曲率半径１０９は、角膜表面と角膜曲率中心１１０との距離である。したがって、角膜表面の位置データ及び角膜曲率中心１１０の位置データが算出されることにより、角膜曲率半径１０９が算出される。
【００５６】
次に、本実施形態に係る注視点検出部２１４の処理の概要について説明する。注視点検出部２１４は、眼球１１１の画像データに基づいて、注視点の位置データを算出する。
【００５７】
本実施形態においては、角膜曲率中心１１０の位置データの算出処理、及び瞳孔中心１１２Ｃと角膜曲率中心１１０との距離データの算出処理を含むキャリブレーション処理（ステップＳ１００）が実施された後、注視点検出処理（ステップＳ２００）が実施される。
【００５８】
図７は、本実施形態に係るキャリブレーション処理の一例を説明するための模式図である。キャリブレーション処理は、角膜曲率中心１１０の位置データを算出すること、及び瞳孔中心１１２Ｃと角膜曲率中心１１０との距離１２６を算出することを含む。
【００５９】
被験者に注視させるための目標位置１３０が設定される。目標位置１３０は、三次元グローバル座標系において規定される。本実施形態において、目標位置１３０は、例えば表示装置１０１の表示画面１０１Ｓの中央位置に設定される。なお、目標位置１３０は、表示画面１０１Ｓの端部位置に設定されてもよい。
【００６０】
表示制御部２０２は、設定された目標位置１３０に目標画像を表示させる。これにより、被験者は、目標位置１３０を注視し易くなる。
【００６１】
直線１３１は、仮想光源１０３Ｖと角膜反射中心１１３Ｃとを結ぶ直線である。直線１３２は、目標位置１３０と瞳孔中心１１２Ｃとを結ぶ直線である。角膜曲率中心１１０は、直線１３１と直線１３２との交点である。曲率中心算出部２１２は、仮想光源１０３Ｖの位置データと、目標位置１３０の位置データと、瞳孔中心１１２Ｃの位置データと、角膜反射中心１１３Ｃの位置データとに基づいて、角膜曲率中心１１０の位置データを算出することができる。
【００６２】
図８は、本実施形態に係るキャリブレーション処理（ステップＳ１００）の一例を示すフローチャートである。出力制御部２２６は、表示装置１０１の表示画面１０１Ｓに目標画像を表示させる（ステップＳ１０１）。被験者は、目標画像を注視することにより、目標位置１３０を注視することができる。
【００６３】
次に、光源制御部２０４は、光源駆動部４０６を制御して、第１光源１０３Ａ及び第２光源１０３Ｂのうち一方の光源から検出光を射出させる（ステップＳ１０２）。ステレオカメラ装置１０２は、第１カメラ１０２Ａ及び第２カメラ１０２Ｂのうち検出光を射出した光源からの距離が長い方のカメラで被験者の眼を撮影する（ステップＳ１０３）。
【００６４】
次に、光源制御部２０４は、光源駆動部４０６を制御して、第１光源１０３Ａ及び第２光源１０３Ｂのうち他方の光源から検出光を射出させる（ステップＳ１０４）。ステレオカメラ装置１０２は、第１カメラ１０２Ａ及び第２カメラ１０２Ｂのうち検出光を射出した光源からの距離が長い方のカメラで被験者の眼を撮影する（ステップＳ１０５）。
【００６５】
瞳孔１１２は、暗い部分としてステレオカメラ装置１０２に検出され、角膜反射像１１３は、明るい部分としてステレオカメラ装置１０２に検出される。すなわち、ステレオカメラ装置１０２で取得される瞳孔１１２の画像は低輝度となり、角膜反射像１１３の画像は高輝度となる。位置検出部２１０は、取得される画像の輝度に基づいて、瞳孔１１２の位置データ及び角膜反射像１１３の位置データを検出することができる。また、位置検出部２１０は、瞳孔１１２の画像データに基づいて、瞳孔中心１１２Ｃの位置データを算出する。また、位置検出部２１０は、角膜反射像１１３の画像データに基づいて、角膜反射中心１１３Ｃの位置データを算出する（ステップＳ１０６）。
【００６６】
ステレオカメラ装置１０２によって検出された位置データは、三次元ローカル座標系で規定される位置データである。位置検出部２１０は、記憶部２２４に記憶されている変換パラメータを使用して、ステレオカメラ装置１０２で検出された瞳孔中心１１２Ｃの位置データ及び角膜反射中心１１３Ｃの位置データを座標変換して、三次元グローバル座標系で規定される瞳孔中心１１２Ｃの位置データ及び角膜反射中心１１３Ｃの位置データを算出する（ステップＳ１０７）。
【００６７】
曲率中心算出部２１２は、三次元グローバル座標系で規定される角膜反射中心１１３Ｃと仮想光源１０３Ｖとを結ぶ直線１３１を求める（ステップＳ１０８）。
【００６８】
次に、曲率中心算出部２１２は、表示装置１０１の表示画面１０１Ｓに規定される目標位置１３０と瞳孔中心１１２Ｃとを結ぶ直線１３２を算出する（ステップＳ１０９）。曲率中心算出部２１２は、ステップＳ１０８で算出した直線１３１とステップＳ１０９で算出した直線１３２との交点を求め、この交点を角膜曲率中心１１０とする（ステップＳ１１０）。
【００６９】
曲率中心算出部２１２は、瞳孔中心１１２Ｃと角膜曲率中心１１０との距離１２６を算出して、記憶部２２４に記憶する（ステップＳ１１１）。記憶された距離は、ステップＳ２００の注視点検出において、角膜曲率中心１１０を算出するために使用される。
【００７０】
図９は、本実施形態に係る注視点検出処理の一例を説明するための模式図である。注視点検出処理は、キャリブレーション処理（ステップＳ１００）で求めた瞳孔中心１１２Ｃと角膜曲率中心１１０との距離１２６を用いて、角膜曲率中心１１０の位置を補正すること、及び補正された角膜曲率中心１１０の位置データを使って注視点を算出することを含む。
【００７１】
図９において、注視点１６５は、一般的な曲率半径値を用いて算出された角膜曲率中心から求めた注視点を示す。注視点１６６は、キャリブレーション処理で求められた距離１２６を用いて算出された角膜曲率中心から求めた注視点を示す。
【００７２】
瞳孔中心１１２Ｃは、キャリブレーション処理において算出された瞳孔中心を示し、角膜反射中心１１３Ｃは、キャリブレーション処理において算出された角膜反射中心を示す。
【００７３】
直線１７３は、仮想光源１０３Ｖと角膜反射中心１１３Ｃとを結ぶ直線である。角膜曲率中心１１０は、一般的な曲率半径値から算出した角膜曲率中心の位置である。
【００７４】
距離１２６は、キャリブレーション処理により算出した瞳孔中心１１２Ｃと角膜曲率中心１１０との距離である。
【００７５】
角膜曲率中心１１０Ｈは、距離１２６を用いて角膜曲率中心１１０を補正した補正後の角膜曲率中心の位置を示す。
【００７６】
角膜曲率中心１１０Ｈは、角膜曲率中心１１０が直線１７３上に存在すること、及び瞳孔中心１１２Ｃと角膜曲率中心１１０との距離が距離１２６であることから求められる。これにより、一般的な曲率半径値を用いる場合に算出される視線１７７は、視線１７８に補正される。また、表示装置１０１の表示画面１０１Ｓ上の注視点は、注視点１６５から注視点１６６に補正される。
【００７７】
図１０は、本実施形態に係る注視点検出処理（ステップＳ２００）の一例を示すフローチャートである。なお、図１０に示すステップＳ２０１からステップＳ２０７までの処理は、図８に示したステップＳ１０２からステップＳ１０８までの処理と同様であるため説明を省略する。
【００７８】
曲率中心算出部２１２は、ステップＳ２０７で算出した直線１７３上であって、瞳孔中心１１２Ｃからの距離がキャリブレーション処理によって求めた距離１２６と等しい位置を角膜曲率中心１１０Ｈとして算出する（ステップＳ２０８）。
【００７９】
注視点検出部２１４は、瞳孔中心１１２Ｃと角膜曲率中心１１０Ｈとを結ぶ視線ベクトルを求める（ステップＳ２０９）。視線ベクトルは、被験者が見ている視線方向を示す。注視点検出部２１４は、視線ベクトルと表示装置１０１の表示画面１０１Ｓとの交点の位置データを算出する（ステップＳ２１０）。視線ベクトルと表示装置１０１の表示画面１０１Ｓとの交点の位置データが、三次元グローバル座標系で規定される表示画面１０１Ｓにおける被験者の注視点の位置データである。
【００８０】
注視点検出部２１４は、三次元グローバル座標系で規定される注視点の位置データを、二次元座標系で規定される表示装置１０１の表示画面１０１Ｓにおける位置データに変換する（ステップＳ２１１）。これにより、被験者が見つめる表示装置１０１の表示画面１０１Ｓ上の注視点の位置データが算出される。
【００８１】
次に、本実施形態に係る視覚認知障がいの診断支援方法について説明する。本実施形態において、視線検出装置１００は、視覚認知障がいの診断を支援する診断支援装置に使用される。以下の説明においては、視線検出装置１００を適宜、診断支援装置１００、と称する。
【００８２】
視覚認知障がいの診断の支援において、診断支援装置１００の表示制御部２０２は、特定の図形を表示装置１０１に表示させる。被験者の視覚認知障がいの症状の評価のために、被験者には、表示装置１０１に表示された図形を見て、その図形を紙に書き写すように指示がなされる。なお、被験者には、紙ではなくタブレット型パーソナルコンピュータのような情報端末に図形を書き写させる指示がなされてもよい。
【００８３】
図１１は、本実施形態に係る表示制御部２０２が表示装置１０１に表示させる特定の図形５００の一例を示す図である。図１１に示すように、図形５００は、複数のラインの集合体である。本実施形態において、図形５００は、ライン５０１，５０２，５０３，５０４，５０５の集合体である。本実施形態において、ライン５０１，５０２，５０３，５０４，５０５はそれぞれ直線である。また、本実施形態において、ライン５０１，５０２，５０３，５０４，５０５の長さはそれぞれ異なる。
【００８４】
なお、ライン５０１，５０２，５０３，５０４，５０５の少なくとも１つが曲線でもよい。なお、ライン５０１，５０２，５０３，５０４，５０５の少なくとも２つが同じ長さでもよい。
【００８５】
ライン５０１は、２つの端を有する。ライン５０１の一方の端は、他のライン５０２，５０３，５０４，５０５と接続されない。ライン５０１の他方の端は、他のライン５０２，５０３，５０４，５０５と接続される。
【００８６】
以下の説明において、ラインの端のうち、他のラインから離れていて他のラインとは接続されない端を適宜、ラインの端点Ｅ、と称する。
【００８７】
本実施形態において、ライン５０１の一方の端は、端点Ｅを形成する。同様に、ライン５０２の一方の端、ライン５０３の一方の端、ライン５０４の一方の端、及びライン５０５の一方の端はそれぞれ、端点Ｅを形成する。
【００８８】
本実施形態において、端点Ｅは、ライン５０１の端点Ｅ１、ライン５０２の端点Ｅ２、ライン５０３の端点Ｅ３、ライン５０４の端点Ｅ４、及びライン５０５の端点Ｅ５を含む。
【００８９】
ライン５０１の他方の端と、ライン５０２の他方の端と、ライン５０３の他方の端と、ライン５０４の他方の端と、ライン５０５の他方の端とは、接続される。以下の説明において、少なくとも２つのラインが接続された接続部を適宜、ラインの交点Ｆ、と称する。
【００９０】
図１１に示す図形５００において、交点Ｆは、５つのライン５０１，５０２，５０３，５０４，５０５が交わった部分である。５つのライン５０１，５０２，５０３，５０４，５０５は、交点Ｆから放射状に配置される。
【００９１】
また、以下の説明において、端点Ｅ及び交点Ｆを総称して適宜、特徴点Ｃ、と称する。
【００９２】
本実施形態において、図形５００は、特徴点Ｃを複数有する。本実施形態において、特徴点Ｃは、５つの端点Ｅ（Ｅ１，Ｅ２，Ｅ３，Ｅ４，Ｅ５）と、１つの交点Ｆとを含む。すなわち、本実施形態において、図形５００は、６つの特徴点Ｃを有する。
【００９３】
交点Ｆを中心とする回転方向において、ライン５０１の端点Ｅ１とライン５０２の端点Ｅ２とは隣り合う。ライン５０２の端点Ｅ２とライン５０３の端点Ｅ３とは隣り合う。ライン５０３の端点Ｅ３とライン５０４の端点Ｅ４とは隣り合う。ライン５０４の端点Ｅ４とライン５０５の端点Ｅ５とは隣り合う。ライン５０５の端点Ｅ５とライン５０１の端点Ｅ１とは隣り合う。
【００９４】
端点Ｅ１と端点Ｅ２とは距離Ｗ１だけ離れている。端点Ｅ２と端点Ｅ３とは距離Ｗ２だけ離れている。端点Ｅ３と端点Ｅ４とは距離Ｗ３だけ離れている。端点Ｅ４と端点Ｅ５とは距離Ｗ４だけ離れている。端点Ｅ５と端点Ｅ１とは距離Ｗ５だけ離れている。
【００９５】
距離Ｗ１と、距離Ｗ２と、距離Ｗ３と、距離Ｗ４と、距離Ｗ５とは、異なる。本実施形態において、距離Ｗ１，Ｗ２，Ｗ３，Ｗ４，Ｗ５のうち、距離Ｗ３が最も長く、距離Ｗ３に次いで距離Ｗ１が長く、距離Ｗ１に次いで距離Ｗ５が長く、距離Ｗ５に次いで距離Ｗ２が長く、距離Ｗ４が最も短い。
【００９６】
本実施形態において、エリア設定部２１６は、表示装置１０１の表示画面１０１Ｓにおいて特徴点Ｃを含むように特定エリアＡを設定する。
【００９７】
図１２は、本実施形態に係る特定エリアＡの一例を模式的に示す図である。エリア設定部２１６は、複数の特徴点Ｃのそれぞれについて特定エリアＡを設定する。
【００９８】
本実施形態において、特定エリアＡは、第１の特徴点Ｃである端点Ｅ１を含む特定エリアＡ１、第２の特徴点Ｃである端点Ｅ２を含む特定エリアＡ２、第３の特徴点Ｃである端点Ｅ３を含む特定エリアＡ３、第４の特徴点Ｃである端点Ｅ４を含む特定エリアＡ４、第５の特徴点Ｃである端点Ｅ５を含む特定エリアＡ５、及び第６の特徴点Ｃである交点Ｆを含む特定エリアＡ６を含む。
【００９９】
エリア設定部２１６は、交点Ｆを中心とする回転方向において、特定エリアＡ１の隣に特定エリアＡ２を設定し、特定エリアＡ２の隣に特定エリアＡ３を設定し、特定エリアＡ３の隣に特定エリアＡ４を設定し、特定エリアＡ４の隣に特定エリアＡ５を設定し、特定エリアＡ５の隣に特定エリアＡ１を設定する。特定エリアＡ１，Ａ２，Ａ３，Ａ４，Ａ５は、特定エリアＡ６の周囲に設定される。エリア設定部２１６は、複数の特定エリアＡ１，Ａ２，Ａ３，Ａ４，Ａ５，Ａ６が重複しないように、それら特定エリアＡを設定する。
【０１００】
本実施形態において、特定エリアＡ１は、端点Ｅ１を中心とする円形エリアである。特定エリアＡ２は、端点Ｅ２を中心とする円形エリアである。特定エリアＡ３は、端点Ｅ３を中心とする円形エリアである。特定エリアＡ４は、端点Ｅ４を中心とする円形エリアである。特定エリアＡ５は、端点Ｅ５を中心とする円形エリアである。特定エリアＡ６は、交点Ｆを中心とする円形エリアである。
【０１０１】
また、本実施形態において、複数の特定エリアＡ１，Ａ２，Ａ３，Ａ４，Ａ５，Ａ６は、同一の大きさである。
【０１０２】
本実施形態において、隣り合う特定エリアＡの距離Ｄは、その特定エリアＡの半径ｒよりも長い。特定エリアＡの半径ｒとは、特徴点Ｃと、その特徴点Ｃについて設定された特定エリアＡのエッジとの距離をいう。エッジとは、特定エリアＡの半径ｒの円周であり、特徴点Ｃを含む特定エリアＡと特定エリアＡの周辺領域との境界のことを指す。
【０１０３】
特定エリアＡ１に関する距離Ｄ及び半径ｒについて説明する。特定エリアＡ１の半径ｒ１とは、端点Ｅ１と、その端点Ｅ１を含む特定エリアＡ１のエッジとの距離をいう。特定エリアＡ１は、特定エリアＡ２、特定エリアＡ５、及び特定エリアＡ６と隣り合う。特定エリアＡ１と特定エリアＡ２との距離Ｄ１２とは、特定エリアＡ１のエッジと特定エリアＡ２のエッジとの距離をいう。特定エリアＡ１と特定エリアＡ５との距離Ｄ１５とは、特定エリアＡ１のエッジと特定エリアＡ５のエッジとの距離をいう。特定エリアＡ１と特定エリアＡ６との距離Ｄ１６とは、特定エリアＡ１のエッジと特定エリアＡ６のエッジとの距離をいう。特定エリアＡ１のエッジと特定エリアＡ２のエッジとは、距離Ｄ１２だけ離れている。特定エリアＡ１のエッジと特定エリアＡ５のエッジとは、距離Ｄ１５だけ離れている。特定エリアＡ１のエッジと特定エリアＡ６のエッジとは、距離Ｄ１６だけ離れている。本実施形態において、距離Ｄ１２，Ｄ１５，Ｄ１６は、特定エリアＡ１の半径ｒ１、特定エリアＡ２の半径ｒ２、特定エリアＡ５の半径ｒ５、及び特定エリアＡ６の半径ｒ６よりも長い。
【０１０４】
以上、特定エリアＡ１に関する距離Ｄ及び半径ｒについて説明した。特定エリアＡ２，Ａ３，Ａ４，Ａ５，Ａ６のそれぞれに関する距離Ｄ及び半径ｒについても同様である。
【０１０５】
本実施形態に係る視覚認知障がいの診断の支援においては、上述の図形５００を被験者に見せたときの被験者の注視点に基づいて、視覚認知障がいの症状が特定される。
【０１０６】
視覚認知障がいでは、対象物をしっかりと見る力、又は見た対象物を正しく認識する力のいずれかの力に問題があると言われている。本実施形態においては、表示装置１０１に表示された図形５００を被験者に見せたときの被験者の注視点に基づいて、対象物をしっかりと見る力、又は見た対象物を正しく認識する力のいずれの力に問題があるのかを切り分ける。
【０１０７】
以下の説明においては、対象物をしっかりと見る力を適宜、認知入力、と称し、見た対象物を正しく認識する力を適宜、認知処理力、と称する。
【０１０８】
被験者に図形５００を見せてその図形５００を書き写すように指示した場合において、被験者の認知入力に問題が無い場合、被験者は、端点Ｅ及び交点Ｆを含む特徴点Ｃをよく見ながら、図形５００を書き写す。一方、被験者の認知入力に問題が有る場合、被験者は、端点Ｅ及び交点Ｆを含む特徴点Ｃをよく見ずに、図形５００を書き写す。
【０１０９】
図１３及び図１４は、被験者の注視点の動きの一例を示す図であって、出力制御部２２６により表示装置１０１に表示される注視点の一例を示す図である。出力制御部２２６は、被験者の注視点の位置データを示すプロット点Ｐを表示装置１０１に表示させる。注視点の位置データの検出は、第１カメラ１０２Ａ及び第２カメラ１０２Ｂから出力されるフレーム同期信号の周期で（例えば５０［ｍｓｅｃ］毎に）実施される。したがって、表示画面１０１Ｓのうちプロット点Ｐが密集している領域ほど、被験者が注視していることを示す。また、プロット点Ｐの数が多い領域ほど、被験者がその領域を注視している時間が長いことを示す。
【０１１０】
被験者の認知入力に問題が無い場合、図１３に示すように、注視点を示すプロット点Ｐは特徴点Ｃの近傍に密集し、特定エリアＡに存在するプロット点Ｐの数が多くなる。すなわち、被験者の認知入力に問題が無い場合、被験者は特徴点Ｃを長時間注視する。一方、被験者の認知入力に問題が有る場合、図１４に示すように、注視点を示すプロット点Ｐは、特徴点Ｃの近傍に密集せずに表示画面１０１Ｓにおいて分散し、特定エリアＡに存在するプロット点Ｐの数は少なくなる。すなわち、被験者の認知入力に問題が有る場合、被験者は特徴点Ｃを長時間注視しない。
【０１１１】
本実施形態においては、注視点の位置データから算出される、被験者が特徴点Ｃを見ている時間に基づいて、視覚認知障がいの症状のうち、認知入力又は認知処理力のいずれの力に問題があるのかを切り分ける。図１３に示したようなプロット点Ｐの分布が得られた場合、書き写された図形が元の図形５００と似ていなくても、被験者が特徴点Ｃを注視する時間は長く、被験者の認知入力は正常であると評価することができる。図１４に示したようなプロット点Ｐの分布が得られた場合、被験者が特徴点Ｃを注視する時間は短く、被験者の認知入力に問題が有ると評価することができる。
【０１１２】
本実施形態において、診断支援装置１００は、表示装置１０１に表示された図形５００を被験者に見せる時間に制限時間Ｔｃを設ける。判定部２１８は、注視点検出部２１４で検出された注視点の位置データに基づいて、注視点が特定エリアＡに存在するか否かを判定する。演算部２２０は、判定部２１８の判定データに基づいて、制限時間Ｔｃのうち注視点が特定エリアＡに存在した存在時間Ｔｒを示す時間データを算出する。
【０１１３】
存在時間Ｔｒは、注視点が特定エリアＡに存在している滞留時間を示す。存在時間Ｔｒは、被験者が特定エリアＡの特徴点Ｃを見る時間とみなされる。存在時間Ｔｒが長いほど、被験者はその特定エリアＡに含まれる特徴点Ｃを長時間注視していると判定される。
【０１１４】
本実施形態において、時間データは、制限時間Ｔｃのうち、被験者が特徴点Ｃを見ていると判定される存在時間Ｔｒの割合を含む。すなわち、時間データは、制限時間Ｔｃに対する存在時間Ｔｒの割合を示し、［Ｔｒ／Ｔｃ］の値を含む。時間データの値が大きいほど、存在時間Ｔｒが長く、被験者はその特定エリアＡに含まれる特徴点Ｃを長時間注視していると判定される。
【０１１５】
演算部２２０は、判定部２１８の判定データに基づいて、制限時間Ｔｃのうち注視点が特定エリアＡに存在した存在時間Ｔｒを示す時間データを算出する。出力制御部２２６は、演算部２２０で算出された時間データを出力装置５０に出力する。時間データが出力装置５０に出力されることにより、診断者は、その時間データに基づいて、認知入力又は認知処理力のいずれの力に問題があるのかを切り分けることができる。診断者は、時間データの値が大きい場合、認知入力に問題が無いと評価し、時間データの値が小さい場合、認知入力に問題が有ると評価することができる。
【０１１６】
また、本実施形態においては、診断支援装置１００は、被験者の評価データを出力する。評価部２２２は、演算部２２０で算出された時間データに基づいて、被験者の評価データを出力する。本実施形態においては、存在時間Ｔｒについての閾値を示す閾値データが記憶部２２４に記憶されている。評価部２２２は、制限時間Ｔｃに対する存在時間Ｔｒの割合が閾値以上のときに、被験者の認知入力に問題が無いことを示す第１評価データを出力し、制限時間Ｔｃに対する存在時間Ｔｒの割合が閾値未満のときに、被験者の認知入力に問題が有ることを示す第２評価データを出力する。出力制御部２２６は、評価部２２２の評価データを出力装置５０に出力する。
【０１１７】
本実施形態において、存在時間Ｔｒについての閾値は、複数の特定エリアＡのそれぞれについて設定される。評価部２２２は、複数の特定エリアＡのそれぞれについての制限時間Ｔｃに対する存在時間Ｔｒの割合の全部が閾値以上のときに、被験者の認知入力に問題が無いことを示す第１評価データを出力する。
【０１１８】
図１５は、被験者の注視点の動きの一例を示す図であって、出力制御部２２６により表示装置１０１に表示される注視点の一例を示す図である。図１５に示す例では、被験者は、端点Ｅ１及び端点Ｅ５をしっかりと見ていると評価されるものの、端点Ｅ２，Ｅ３，Ｅ４，Ｅ６を十分に見ていないと評価される。この場合、被験者の認知入力に問題が有る可能性が高い。本実施形態においては、被験者が複数の特徴点Ｃを満遍無く見たと判定された場合、すなわち、被験者の注視点が複数の特定エリアＡに満遍無く存在したと判定された場合、評価部２２２は、第１評価データを出力する。評価部２２２は、複数の特定エリアＡのそれぞれについての制限時間Ｔｃに対する存在時間Ｔｒの割合の全部が閾値以上のときに、第１評価データを出力する。
【０１１９】
本実施形態においては、評価部２２２は、交点Ｆを含む特定エリアＡ６に注視点が存在した存在時間Ｔｒに、端点Ｅ１，Ｅ２，Ｅ３，Ｅ４，Ｅ５を含む特定エリアＡ１，Ａ２，Ａ３，Ａ４，Ａ５に注視点が存在した存在時間Ｔｒよりも重みを付けて、評価データを出力する。例えば、特定エリアＡ６に注視点が存在した存在時間をＴｒｆ、特定エリアＡ１，Ａ２，Ａ３，Ａ４，Ａ５に注視点が存在した存在時間をＴｒｅ、とした場合、存在時間Ｔｒは、以下の（１Ａ）式で表される。なお、存在時間Ｔｒｅは、特定エリアＡ１に注視点が存在した存在時間Ｔｒｅ１と、特定エリアＡ２に注視点が存在した存在時間Ｔｒｅ２と、特定エリアＡ３に注視点が存在した存在時間Ｔｒｅ３と、特定エリアＡ４に注視点が存在した存在時間Ｔｒｅ４と、特定エリアＡ５に注視点が存在した存在時間Ｔｒｅ５との和である。
【０１２０】
Ｔｒ＝ｋ１×Ｔｒｅ＋ｋ２×Ｔｒｆ      …（１Ａ）
但し、
Ｔｒｅ＝Ｔｒｅ１＋Ｔｒｅ２＋Ｔｒｅ３＋Ｔｒｅ４＋Ｔｒｅ５、
ｋ１＋ｋ２＝１、
ｋ１＜ｋ２、である。
【０１２１】
被験者は、端点Ｅよりも交点Ｆを注視し難い傾向にある。そのため、交点Ｆに重み付けすることにより、評価データの精度が向上する。
【０１２２】
また、図形５００が端点Ｅを複数有する場合、被験者は、端点Ｅ同士の距離が長い２つの端点Ｅよりも、端点Ｅ同士の距離が短い２つの端点Ｅを認識し難い傾向にある。そのため、端点Ｅ同士の距離が短い２つの端点Ｅに重み付けすることにより、評価データの精度が向上する。
【０１２３】
図１１を参照して説明したように、本実施形態において、図形５００は、距離Ｗ４だけ離れた端点Ｅ４及び端点５と、距離Ｗ４よりも長い距離Ｗ３だけ離れた端点Ｅ３及び端点Ｅ４とを有する。評価部２２２は、距離Ｗ４だけ離れた端点Ｅ４及び端点Ｅ５の少なくとも一方を含む特定エリアＡに注視点が存在した存在時間Ｔｒに、距離Ｗ３だけ離れた端点Ｅ３及び端点Ｅ４の少なくとも一方を含む特定エリアＡに注視点が存在した存在時間Ｔｒよりも重みを付けて、評価データを出力する。例えば、評価部２２２は、以下の（２Ａ）式で示すように、端点Ｅ５に重み付けして評価データを生成する。
【０１２４】
Ｔｒｅ＝ｋ１×Ｔｒｅ１＋ｋ２×Ｔｒｅ２＋ｋ３×Ｔｒｅ３＋ｋ４×Ｔｒｅ４＋ｋ５×Ｔｒｅ５      …（２Ａ）
但し、
ｋ１＋ｋ２＋ｋ３＋ｋ４＋ｋ５＝１、
ｋ１＝ｋ２＝ｋ３＝ｋ４＜ｋ５、である。
【０１２５】
評価部２２２が第１評価データを出力した場合、出力制御部２２６は、例えば図１６に示すように、「被験者の認知入力に問題無し」の文字データを出力装置５０に出力させる。一方、評価部２２２が第２評価データを出力した場合、出力制御部２２６は、例えば「被験者の認知入力に問題有り」の文字データを出力装置５０に出力させる。
【０１２６】
次に、本実施形態に係る診断支援方法の一例について、図１７のフローチャートを参照しながら説明する。本実施形態においては、表示制御部２０２は、表示装置１０１に図形５００の静止画を表示させる。表示装置１０１に表示された図形５００を被験者に見せた状態で、注視点検出部２１４は、規定のサンプリング周期（例えば５０［ｍｓｅｃ］毎）に、表示装置１０１の表示画面１０１Ｓにおける被験者の注視点の位置データを検出する。演算部２２０は、制限時間Ｔｃのうち特定エリアＡに配置された注視点の位置データのサンプリング数に基づいて、時間データを算出する。
【０１２７】
診断者又は被験者は、入力装置６０を操作して、注視点検出の開始を示す入力データを生成する。入力装置６０が操作されることにより、注視点検出の開始を示す入力データが生成される（ステップＳ３０１）。入力装置６０の操作により生成された入力データは、入出力部３０２を介して入力データ取得部２０８に出力される。入力データ取得部２０８は、入力装置６０から入力データを取得する。入力データ取得部２０８は、取得した入力データに基づいて、表示制御部２０２に図形５００の表示を開始させる。表示制御部２０２は、入力データに基づいて、端点Ｅ及び交点Ｆの一方又は両方を含む特徴点Ｃを有する図形５００を示す図形データを表示装置１０１に出力して表示させる（ステップＳ３０２）。
【０１２８】
また、エリア設定部２１６は、特定エリアＡを示す特定エリアデータを、入出力部３０２を介して表示装置１０１に出力する（ステップＳ３０３）。これにより、表示装置１０１の表示画面１０１Ｓにおいて、特徴点Ｃを含む特定エリアＡが表示画面１０１Ｓに設定される。
【０１２９】
注視点検出の開始を示す入力データが入力データ取得部２０８に取得され、表示制御部２０２から図形データが表示装置１０１に出力され、表示装置１０１による図形５００の表示が開始された時点が、制限時間Ｔｃの開始時点である。表示装置１０１が図形５００の表示を開始することにより、被験者は表示装置１０１に表示された図形５００を見て、書き写しを行うことができる。
【０１３０】
演算部２２０は、注視点が特定エリアＡ１に存在した存在時間Ｔｒｅ１を算出するためのカウンタＣＮＴ１、注視点が特定エリアＡ２に存在した存在時間Ｔｒｅ２を算出するためのカウンタＣＮＴ２、注視点が特定エリアＡ３に存在した存在時間Ｔｒｅ３を算出するためのカウンタＣＮＴ３、注視点が特定エリアＡ４に存在した存在時間Ｔｒｅ４を算出するためのカウンタＣＮＴ４、注視点が特定エリアＡ５に存在した存在時間Ｔｒｅ５を算出するためのカウンタＣＮＴ５、注視点が特定エリアＡ６に存在した存在時間Ｔｒｅ６を算出するためのカウンタＣＮＴ６、及び注視点が特定エリアＡ（Ａ１，Ａ２，Ａ３，Ａ４，Ａ５，Ａ６）に存在しない（特定エリアＡ以外のエリアに存在した）非存在時間を算出するためのカウンタＣＮＴ０をリセットする（ステップＳ３０４）。
【０１３１】
光源制御部２０４は、照明装置１０３を制御して、被験者の眼に検出光を照射する。画像データ取得部２０６は、ステレオカメラ装置１０２で取得された被験者の眼球１１１の画像データを取得する（ステップＳ３０５）。注視点検出部２１４は、被験者の眼球１１１の画像データに基づいて、表示画面１０１Ｓにおける被験者の注視点の位置データを検出する（ステップＳ３０６）。
【０１３２】
注視点検出部２１４は、被験者の注視点の位置データの検出が失敗したか否かを判定する（ステップＳ３０７）。例えば、被験者の瞬きにより注視点の位置データの検出を失敗する場合がある。
【０１３３】
ステップＳ３０７において、被験者の注視点の位置データの検出が失敗したと判定された場合（ステップＳ３０７：Ｙｅｓ）、ステップＳ３１６の処理が実施される。
【０１３４】
ステップＳ３０７において、被験者の注視点の位置データの検出が成功したと判定された場合（ステップＳ３０７：Ｎｏ）、判定部２１８は、表示画面１０１Ｓにおける注視点の位置データと、表示画面１０１Ｓに設定された特定エリアＡの位置データとに基づいて、複数の特定エリアＡのうち、注視点が存在する特定エリアＡを検出する（ステップＳ３０８）。
【０１３５】
判定部２１８は、注視点の位置データに基づいて、注視点が特定エリアＡ１に存在するか否かを判定する（ステップＳ３０９）。
【０１３６】
ステップＳ３０９において、注視点が特定エリアＡ１に存在すると判定された場合（ステップＳ３０９：Ｙｅｓ）、判定部２１８は、注視点が特定エリアＡ１に存在すると判定した判定結果を示す判定データを生成して演算部２２０に出力する。演算部２２０は、カウンタＣＮＴ１をインクリメントする（ステップＳ３２１）。
【０１３７】
ステップＳ３０９において、注視点が特定エリアＡ１に存在しないと判定された場合（ステップＳ３０９：Ｎｏ）、判定部２１８は、注視点が特定エリアＡ１に存在しないと判定した判定結果を示す判定データを生成し、注視点の位置データに基づいて、注視点が特定エリアＡ２に存在するか否かを判定する（ステップＳ３１０）。
【０１３８】
ステップＳ３１０において、注視点が特定エリアＡ２に存在すると判定された場合（ステップＳ３１０：Ｙｅｓ）、判定部２１８は、注視点が特定エリアＡ２に存在すると判定した判定結果を示す判定データを生成して演算部２２０に出力する。演算部２２０は、カウンタＣＮＴ２をインクリメントする（ステップＳ３２２）。
【０１３９】
ステップＳ３１０において、注視点が特定エリアＡ２に存在しないと判定された場合（ステップＳ３１０：Ｎｏ）、判定部２１８は、注視点が特定エリアＡ２に存在しないと判定した判定結果を示す判定データを生成し、注視点の位置データに基づいて、注視点が特定エリアＡ３に存在するか否かを判定する（ステップＳ３１１）。
【０１４０】
ステップＳ３１１において、注視点が特定エリアＡ３に存在すると判定された場合（ステップＳ３１１：Ｙｅｓ）、判定部２１８は、注視点が特定エリアＡ３に存在すると判定した判定結果を示す判定データを生成して演算部２２０に出力する。演算部２２０は、カウンタＣＮＴ３をインクリメントする（ステップＳ３２３）。
【０１４１】
ステップＳ３１１において、注視点が特定エリアＡ３に存在しないと判定された場合（ステップＳ３１１：Ｎｏ）、判定部２１８は、注視点が特定エリアＡ３に存在しないと判定した判定結果を示す判定データを生成し、注視点の位置データに基づいて、注視点が特定エリアＡ４に存在するか否かを判定する（ステップＳ３１２）。
【０１４２】
ステップＳ３１２において、注視点が特定エリアＡ４に存在すると判定された場合（ステップＳ３１２：Ｙｅｓ）、判定部２１８は、注視点が特定エリアＡ４に存在すると判定した判定結果を示す判定データを生成して演算部２２０に出力する。演算部２２０は、カウンタＣＮＴ４をインクリメントする（ステップＳ３２４）。
【０１４３】
ステップＳ３１２において、注視点が特定エリアＡ４に存在しないと判定された場合（ステップＳ３１２：Ｎｏ）、判定部２１８は、注視点が特定エリアＡ４に存在しないと判定した判定結果を示す判定データを生成し、注視点の位置データに基づいて、注視点が特定エリアＡ５に存在するか否かを判定する（ステップＳ３１３）。
【０１４４】
ステップＳ３１３において、注視点が特定エリアＡ５に存在すると判定された場合（ステップＳ３１３：Ｙｅｓ）、判定部２１８は、注視点が特定エリアＡ５に存在すると判定した判定結果を示す判定データを生成して演算部２２０に出力する。演算部２２０は、カウンタＣＮＴ５をインクリメントする（ステップＳ３２５）。
【０１４５】
ステップＳ３１３において、注視点が特定エリアＡ５に存在しないと判定された場合（ステップＳ３１３：Ｎｏ）、判定部２１８は、注視点が特定エリアＡ５に存在しないと判定した判定結果を示す判定データを生成し、注視点の位置データに基づいて、注視点が特定エリアＡ６に存在するか否かを判定する（ステップＳ３１４）。
【０１４６】
ステップＳ３１４において、注視点が特定エリアＡ６に存在すると判定された場合（ステップＳ３１４：Ｙｅｓ）、判定部２１８は、注視点が特定エリアＡ６に存在すると判定した判定結果を示す判定データを生成して演算部２２０に出力する。演算部２２０は、カウンタＣＮＴ６をインクリメントする（ステップＳ３２６）。
【０１４７】
ステップＳ３１４において、注視点が特定エリアＡ６に存在しないと判定された場合（ステップＳ３１４：Ｎｏ）、判定部２１８は、注視点が特定エリアＡ６に存在しないと判定した判定結果を示す判定データを生成して演算部２２０に出力する。
【０１４８】
ステップＳ３１４において、注視点が特定エリアＡ６に存在しないと判定された場合、注視点は複数の特定エリアＡ１，Ａ２，Ａ３，Ａ４，Ａ５，Ａ６のいずれにも存在しないと判定される。判定部２１８は、カウンタＣＮＴ０をインクリメントする（ステップＳ３１５）。
【０１４９】
演算部２２０は、入力データ取得部２０８に注視点検出の終了を示す入力データが取得されたか否かを確認する（ステップＳ３１６）。演算部２２０は、注視点検出の終了を示す入力データの有無に基づいて、注視点検出を終了するか否かを判定する（ステップＳ３１７）。
【０１５０】
ステップＳ３１７において、注視点検出は終了しないと判定された場合（ステップＳ３１７：Ｎｏ）、ステップＳ３０５の処理を実施する。
【０１５１】
ステップＳ３１７において、注視点検出は終了すると判定された場合（ステップＳ３１７：Ｙｅｓ）、表示制御部２０２は、図形５００を表示装置１０１に表示させる処理を終了する（ステップ３１８）。
【０１５２】
注視点検出の終了を示す入力データが入力データ取得部２０８に取得され、表示制御部２０２が図形５００を表示装置１０１に表示させる処理を終了した時点が、制限時間Ｔｃの終了時点である。
【０１５３】
本実施形態においては、ステップＳ３０５からステップ３１７までの処理、及びステップ３２１からステップＳ３２６までの処理が、規定のサンプリング周期で実施される。
【０１５４】
演算部２２０は、判定部２１８で生成された判定データに基づいて、制限時間Ｔｃのうち注視点が特定エリアＡに存在した存在時間Ｔｒを示す時間データを算出する（ステップＳ３１９）。
【０１５５】
本実施形態において、判定データは、カウンタＣＮＴ０のカウント値Ｍ０、カウンタＣＮＴ１のカウント値Ｍ１、カウンタＣＮＴ２のカウント値Ｍ２、カウンタＣＮＴ３のカウント値Ｍ３、カウンタＣＮＴ４のカウント値Ｍ４、カウンタＣＮＴ５のカウント値Ｍ５、及びカウンタＣＮＴ６のカウント値Ｍ６を含む。
【０１５６】
制限時間Ｔｃは、カウント値Ｍ０とカウント値Ｍ１とカウント値Ｍ２とカウント値Ｍ３とカウント値Ｍ４とカウント値Ｍ５とカウント値Ｍ６との和のカウント値Ｍｃを含む。
【０１５７】
存在時間Ｔｒｅ１はカウント値Ｍ１を含み、存在時間Ｔｒｅ２はカウント値Ｍ２を含み、存在時間Ｔｒｅ３はカウント値Ｍ３を含み、存在時間Ｔｒｅ４はカウント値Ｍ４を含み、存在時間Ｔｒｅ５はカウント値Ｍ５を含み、存在時間Ｔｒｅ６はカウント値Ｍ６を含む。複数の特定エリアＡに注視点が存在する存在時間Ｔｒは、カウント値Ｍ１とカウント値Ｍ２とカウント値Ｍ３とカウント値Ｍ４とカウント値Ｍ５とカウント値Ｍ６との和のカウント値Ｍｒである。
【０１５８】
時間データは、カウント値Ｍｃに対するカウント値Ｍｒの割合を含む。演算部２２０は、［Ｍｒ／Ｍｃ］の演算処理を実施して、時間データを算出する。
【０１５９】
（１Ａ）式を参照して説明したように、交点Ｆに重み付けする場合、演算部２２０は、以下の（１Ｂ）式の演算処理を実施して、カウント値Ｍｒを算出する。カウント値Ｍｒｅは、カウント値Ｍ１とカウント値Ｍ２とカウント値Ｍ３とカウント値Ｍ４とカウント値Ｍ５との和である。カウント値Ｍｒｆは、カウント値Ｍ６を示す。
【０１６０】
Ｍｒ＝ｋ１×Ｍｒｅ＋ｋ２×Ｍｒｆ      …（１Ｂ）
但し、
Ｍｒｅ＝Ｍ１＋Ｍ２＋Ｍ３＋Ｍ４＋Ｍ５、
ｋ１＋ｋ２＝１、
ｋ１＜ｋ２、である。
【０１６１】
（２Ａ）式を参照して説明したように、端点Ｅとその隣の端点Ｅとの距離に基づいて重み付けする場合、演算部２２０は、以下の（２Ｂ）式の演算処理を実施して、カウント値Ｍｒｅを算出する。
【０１６２】
Ｍｒｅ＝ｋ１×Ｍ１＋ｋ２×Ｍ２＋ｋ３×Ｍ３＋ｋ４×Ｍ４＋ｋ５×Ｍ５  …（２Ｂ）
但し、
ｋ１＋ｋ２＋ｋ３＋ｋ４＋ｋ５＝１、
ｋ１＝ｋ２＝ｋ３＝ｋ４＜ｋ５、である。
【０１６３】
時間データが算出された後、評価部２２２は、演算部２２０で算出された時間データと、記憶部２２４に記憶されている閾値データとに基づいて、被験者の認知入力に問題が無いことを示す第１評価データ、及び被験者の認知入力に問題が有ることを示す第２評価データのいずれか一方を出力する。出力制御部２２６は、図１６を参照して説明したように、評価データを出力装置５０に出力する（ステップＳ３２０）。
【０１６４】
以上説明したように、本実施形態によれば、端点Ｅ及び交点Ｆの一方又は両方を含む特徴点Ｃを有する図形５００が表示装置１０１に表示され、表示装置１０１の表示画面１０１Ｓにおいて特徴点Ｃを含む特定エリアＡが設定される。視覚認知障がいの症状のうち認知入力の問題の有無を特定するとき、端点Ｅ又は交点Ｆのような図形５００の構成上重要な特徴点Ｃをしっかり見ているか否かを判定することが重要である。本実施形態によれば、被験者の注視点の位置データに基づいて、注視点が特定エリアＡに存在するか否かが判定され、その判定データに基づいて、注視点検出が実施される時間である制限時間Ｔｃのうち注視点が特定エリアＡに存在した存在時間Ｔｒを示す時間データが算出されるので、その時間データに基づいて、図形５００の特徴点Ｃをしっかりと見る力（認知入力）、又は見た図形５００を正しく認識する力（認知処理力）のいずれの力に問題があるのかを切り分けることができる。したがって、診断支援装置１００は、視覚認知障がいの診断を効果的に支援することができる。
【０１６５】
また、本実施形態によれば、存在時間Ｔｒについての閾値を示す閾値データが予め求められ記憶部２２４に記憶されている。したがって、評価部２２２は、制限時間Ｔｃに対する存在時間Ｔｒの割合が閾値以上のときに、被験者の認知入力に問題が無いことを示す第１評価データを出力し、制限時間Ｔｃに対する存在時間Ｔｒの割合が閾値未満のときに、被験者の認知入力に問題が有ることを示す第２評価データを出力することができる。
【０１６６】
また、本実施形態によれば、評価部２２２は、複数の特定エリアＡのそれぞれについての制限時間Ｔｃに対する存在時間Ｔｒの割合の全部が閾値以上のときに第１評価データを出力する。これにより、評価部２２２は、正しい評価データを出力することができる。
【０１６７】
また、本実施形態によれば、評価部２２２は、交点Ｆを含む特定エリアＡ６に注視点が存在した存在時間Ｔｒｆに、端点Ｅを含む特定エリアＡ１，Ａ２，Ａ３，Ａ４，Ａ５に注視点が存在した存在時間Ｔｒｅよりも重みを付けて評価データを出力する。これにより、評価データの精度は向上する。
【０１６８】
また、本実施形態によれば、評価部２２２は、お互いの距離が短い２つの端点Ｅの少なくとも一方を含む特定エリアＡに注視点が存在した存在時間Ｔｒに、お互いの距離が長い２つの端点Ｅの少なくとも一方を含む特定エリアＡに注視点が存在した存在時間Ｔｒよりも重みを付けて評価データを出力する。こうすることによっても、評価データの精度は向上する。
【０１６９】
また、本実施形態によれば、エリア設定部２１６は、複数の特定エリアＡが重複しないように特定エリアＡを設定する。これにより、判定部２１８は、複数の特徴点Ｃのうちどの特徴点Ｃが被験者に注視されているのかを正確に判定することができる。
【０１７０】
また、本実施形態によれば、隣り合う特定エリアＡの距離Ｄは、その特定エリアＡの半径ｒよりも長い。したがって、判定部２１８は、注視点の位置データに基づいて、被験者が特徴点Ｃを注視しているか否かを正確に判定することができる。
【０１７１】
また、本実施形態によれば、複数の特定エリアＡは同一の大きさである。したがって、判定部２１８は、被験者が複数の特徴点Ｃを満遍無く注視しているか否かを正確に判定することができる。
【０１７２】
また、本実施形態によれば、特定エリアＡは、特徴点Ｃを中心とする円形エリアである。したがって、判定部２１８は、注視点が特定エリアＡに存在するか否かを判定することにより、被験者が複数の特徴点Ｃを注視しているか否かを正確に判定することができる。
【０１７３】
なお、上述の実施形態においては、特定エリアＡが特徴点Ｃを中心とする円形エリアであることとした。特定エリアＡは、特徴点Ｃを中心とする点対称エリアであればよい。例えば、図１８に示すように、特定エリアＡが、特徴点Ｃを中心とする正方形エリアでもよい。
【０１７４】
＜第２実施形態＞
第２実施形態について説明する。以下の説明において上述の実施形態と同一又は同等の構成要素については同一の符号を付し、その説明を簡略又は省略する。
【０１７５】
本実施形態においては、視線検出装置１００が、視覚認知障がいのトレーニングを支援するトレーニング支援装置に使用される例について説明する。以下の説明においては、視線検出装置１００を適宜、トレーニング支援装置１００、と称する。
【０１７６】
図１９は、本実施形態に係るトレーニング支援装置１００のコンピュータシステム２０を示す機能ブロック図である。本実施形態において、コンピュータシステム２０は、第１表示制御部２０２Ａと第２表示制御部２０２Ｂとを有する。
【０１７７】
第１表示制御部２０２Ａは、端点Ｅ及び交点Ｆの一方又は両方を含む複数の特徴点Ｃを有する図形５００を表示装置１０１に表示させる。
【０１７８】
画像データ取得部２０６は、被験者の眼球１１の画像データを取得する。注視点検出部２１４は、画像データ取得部２０６で取得された画像データに基づいて、被験者の注視点の位置データを検出する。
【０１７９】
エリア設定部２１６は、表示装置１０１の表示画面１０１Ｓにおいて、複数の特徴点Ｃのそれぞれについて、特徴点Ｃを含む特定エリアＢを設定する。
【０１８０】
第２表示制御部２０２Ｂは、複数の特定エリアＢのそれぞれを順次強調して表示装置１０１に表示させる。
【０１８１】
判定部２１８は、注視点の位置データに基づいて、注視点が強調して表示された特定エリアＢに存在するか否かを判定する。
【０１８２】
評価部２２２は、判定部２１８の判定データに基づいて、被験者の評価データを出力する。評価部２２２は、判定部２１８の判定データに基づいて、特定エリアＢが強調して表示された強調時間のうち注視点が強調して表示された特定エリアＢに存在した存在時間を算出して、評価データを出力する。
【０１８３】
視覚認知障がいは、トレーニングにより改善されることが知られている。視覚認知障がいのトレーニングの支援において、トレーニング支援装置１００の第１表示制御部２０２Ａは、特定の図形を表示装置１０１に表示させる。
【０１８４】
図２０は、本実施形態に係る第１表示制御部２０２Ａが表示装置１０１に表示させた特定の図形５００の一例を示す図である。本実施形態において、第１表示制御部２０２Ａは、上述の実施形態で説明した図形５００を表示装置１０１に表示させる。
【０１８５】
エリア設定部２１６は、表示装置１０１の表示画面１０１Ｓにおいて特徴点Ｃを含むように特定エリアＢを設定する。特定エリアＢは、上述の実施形態で説明した特定エリアＡと同様に設定される。特定エリアＢは、端点Ｅ１を含む特定エリアＢ１と、端点Ｅ２を含む特定エリアＢ２と、端点Ｅ３を含む特定エリアＢ３と、端点Ｅ４を含む特定エリアＢ４と、端点Ｅ５を含む特定エリアＢ５と、交点Ｆを含む特定エリアＢ６とを含む。
【０１８６】
第２表示制御部２０２Ｂは、複数の特定エリアＢのそれぞれを順次強調して表示装置１０１に表示させる。
【０１８７】
図２１は、特定エリアＢ１が強調表示された状態の一例を示す図である。図２２は、特定エリアＢ２が強調表示された状態の一例を示す図である。図２３は、特定エリアＢ３が強調表示された状態の一例を示す図である。図２４は、特定エリアＢ４が強調表示された状態の一例を示す図である。図２５は、特定エリアＢ５が強調表示された状態の一例を示す図である。図２６は、特定エリアＢ６が強調表示された状態の一例を示す図である。
【０１８８】
第２表示制御部２０２Ｂは、特定エリアＢを高輝度で表示することによって特定エリアＢを強調表示してもよい。第２表示制御部２０２Ｂは、特定エリアＢを高輝度で表示する状態と低輝度で表示する状態とを繰り返すことによって特定エリアＢを強調表示してもよい。第２表示制御部２０２Ｂは、特定エリアＢを高明度の色で表示することによって特定エリアＢを強調表示してもよい。第２表示制御部２０２Ｂは、特定エリアＢの彩度又は色相を変化させることによって特定エリアＢを強調表示してもよい。第２表示制御部２０２Ｂは、特定エリアＢの大きさを変化させることによって特定エリアＢを強調表示してもよい。第２表示制御部２０２Ｂは、特定エリアＢのエッジを特定色で縁取り表示することによって特定エリアＢを強調表示してもよい。エッジとは、特定エリアＢの半径ｒの円周であり、特徴点Ｃを含む特定エリアＢと特定エリアＢの周辺領域との境界のことを指す。
【０１８９】
なお、端点Ｅを含む特定エリアＢ（Ｂ１，Ｂ２，Ｂ３，Ｂ４，Ｂ５）の強調表示の形態と、交点Ｆを含む特定エリアＢ６の強調表示の形態とが異なってもよい。例えば、交点Ｆを含む特定エリアＢ６が端点Ｅを含む特定エリアＢよりも強調されるように、端点Ｅを含む特定エリアＢを強調表示させるときの色相と、交点Ｆを含む特定エリアＢ６を強調表示させるときの色相とが異なってもよい。
【０１９０】
１つの特定エリアＢが強調表示される強調時間Ｔｄは、例えば１［秒］以上３［秒］以下に設定される。強調時間Ｔｄは、特定エリアＢ１が強調表示される強調時間Ｔｄ１、特定エリアＢ２が強調表示される強調時間Ｔｄ２、特定エリアＢ３が強調表示される強調時間Ｔｄ３、特定エリアＢ４が強調表示される強調時間Ｔｄ４、特定エリアＢ５が強調表示される強調時間Ｔｄ５、及び特定エリアＢ６が強調表示される強調時間Ｔｄ６を含む。
【０１９１】
特定エリアＢ１が強調時間Ｔｄ１だけ強調表示された後、特定エリアＢ２が強調時間Ｔｄ２だけ強調表示される。特定エリアＢ２が強調時間Ｔｄ２だけ強調表示された後、特定エリアＢ３が強調時間Ｔｄ３だけ強調表示される。以下同様に、特定エリアＢ４，Ｂ５，Ｂ６が強調時間Ｔｄ４，Ｔｄ５，Ｔｄ６だけ順次強調表示される。
【０１９２】
次に、本実施形態に係る被験者のトレーニング支援方法の一例について説明する。トレーニング支援装置１００は、特定エリアＢが順次強調表示される図形５００を被験者に見せて、視覚認知障がいの改善を図る。本実施形態においては、トレーニング支援装置１００は、視覚認知障がいの症状のうち、認知入力のトレーニングを支援して、その認知入力の改善を図る。
【０１９３】
特徴点Ｃを含む特定エリアＢが強調表示されることにより、認知入力に問題が有る被験者は、その強調表示された特定エリアＢの特徴点Ｃを注視するようになる。これにより、被験者の認知入力の改善が図られる。特定エリアＢの強調表示は１つずつ順次行われるので、被験者の混乱を来たすことなく、効果的なトレーニングが実施される。
【０１９４】
本実施形態においては、トレーニング支援装置１００は、被験者の認知入力をトレーニングしながら、トレーニングの効果を示す評価データを取得する。トレーニング支援装置１００は、被験者の注視点の位置データに基づいて、強調表示された特定エリアＢの特徴点Ｃをしっかりと見ているかどうかを評価する。
【０１９５】
第２表示制御部２０２Ｂは、表示装置１０１に表示された図形５００の特徴点Ｃを含む特定エリアＢを強調時間Ｔｄだけ強調表示させる。
【０１９６】
判定部２１８は、その強調時間Ｔｄにおいて注視点検出部２１４で検出された注視点の位置データに基づいて、注視点が強調表示された特定エリアＢに存在するか否かを判定する。
【０１９７】
評価部２２２は、判定部２１８の判定データに基づいて、特定エリアＢが強調表示された強調時間Ｔｄのうち、注視点がその強調表示された特定エリアＢに存在した存在時間Ｔｓを算出して、被験者の評価データを出力する。
【０１９８】
存在時間Ｔｓは、注視点が強調表示された特定エリアＢに存在している滞留時間を示す。存在時間Ｔｓが長いほど、被験者はその強調表示された特定エリアＢに含まれる特徴点Ｃを長時間注視していると判定される。
【０１９９】
評価データは、強調時間Ｔｄのうち、被験者が特徴点Ｃを見ていると判定される存在時間Ｔｓの割合を含む。すなわち、評価データは、強調時間Ｔｄに対する存在時間Ｔｓの割合を示し、［Ｔｓ／Ｔｄ］の値を示す。この値が大きいほど、存在時間Ｔｓが長く、被験者はその特定エリアＢに含まれる特徴点Ｃを長時間注視していると判定される。すなわち、この値が大きいほど、トレーニングの効果が表れていると判定される。
【０２００】
出力制御部２２６は、評価部２２２から出力された評価データを出力装置５０に出力する。強調時間Ｔｄに対する存在時間Ｔｓの割合を示す評価データが出力装置５０に出力されることにより、訓練者は、その評価データに基づいて、被験者の視覚認知障がいの症状のうち、認知入力が改善されているか否か、すなわち、トレーニングの効果が表れているか否かを判定することができる。訓練者は、強調時間Ｔｄに対する存在時間Ｔｓの割合が大きい場合、被験者の認知入力が改善されていると評価し、強調時間Ｔｄに対する存在時間Ｔｓの割合が小さい場合、被験者の認知入力は十分に改善されていないと評価することができる。
【０２０１】
評価部２２２は、評価データを出力する。本実施形態においては、存在時間Ｔｓについての閾値を示す閾値データが記憶部２２４に記憶されている。評価部２２２は、強調時間Ｔｄに対する存在時間Ｔｓの割合が閾値以上のときに、被験者の認知入力が改善したことを示す第３評価データを出力し、強調時間Ｔｄに対する存在時間Ｔｓの割合が閾値未満のときに、被験者の認知入力が十分に改善されていないことを示す第４評価データを出力する。出力制御部２２６は、評価部２２２の評価データを出力装置５０に出力する。
【０２０２】
本実施形態において、存在時間Ｔｓについての閾値は、複数の特定エリアＢのそれぞれについて設定される。評価部２２２は、複数の特定エリアＢのそれぞれについての強調時間Ｔｄに対する存在時間Ｔｓの割合の全部が閾値以上のときに、被験者の認知入力が改善したことを示す第３評価データを出力する。
【０２０３】
本実施形態においては、評価部２２２は、交点Ｆを含む特定エリアＢ６に注視点が存在した存在時間Ｔｓに、端点Ｅ１，Ｅ２，Ｅ３，Ｅ４，Ｅ５を含む特定エリアＢ１，Ｂ２，Ｂ３，Ｂ４，Ｂ５に注視点が存在した存在時間Ｔｓよりも重みを付けて、評価データを出力する。例えば、強調表示された特定エリアＢ６に注視点が存在した存在時間をＴｓｆ、強調表示された特定エリアＢ１，Ｂ２，Ｂ３，Ｂ４，Ｂ５に注視点が存在した存在時間をＴｓｅ、とした場合、存在時間Ｔｓは、以下の（３Ａ）式で表される。なお、存在時間Ｔｓｅは、強調表示された特定エリアＢ１に注視点が存在した存在時間Ｔｓｅ１と、強調表示された特定エリアＢ２に注視点が存在した存在時間Ｔｓｅ２と、強調表示された特定エリアＢ３に注視点が存在した存在時間Ｔｓｅ３と、強調表示された特定エリアＢ４に注視点が存在した存在時間Ｔｓｅ４と、強調表示された特定エリアＢ５に注視点が存在した存在時間Ｔｓｅ５との和である。
【０２０４】
Ｔｓ＝ｋ１×Ｔｓｅ＋ｋ２×Ｔｓｆ      …（３Ａ）
但し、
Ｔｓｅ＝Ｔｓｅ１＋Ｔｓｅ２＋Ｔｓｅ３＋Ｔｓｅ４＋Ｔｓｅ５、
ｋ１＋ｋ２＝１、
ｋ１＜ｋ２、である。
【０２０５】
また、図形５００は、距離Ｗ４だけ離れた端点Ｅ４及び端点５と、距離Ｗ４よりも長い距離Ｗ３だけ離れた端点Ｅ３及び端点Ｅ４とを有する。評価部２２２は、距離Ｗ４だけ離れた端点Ｅ４及び端点Ｅ５の少なくとも一方を含み強調表示された特定エリアＢに注視点が存在した存在時間Ｔｓに、距離Ｗ３だけ離れた端点Ｅ３及び端点Ｅ４の少なくとも一方を含み強調表示された特定エリアＢに注視点が存在した存在時間Ｔｓよりも重みを付けて、評価データを出力する。これにより、評価データの精度が向上する。
【０２０６】
評価部２２２が第３評価データを出力した場合、出力制御部２２６は、例えば、「被験者の認知入力が改善」の文字データを出力装置５０に出力させる。一方、評価部２２２が第４評価データを出力した場合、出力制御部２２６は、例えば「被験者の認知入力が未改善」の文字データを出力装置５０に出力させる。
【０２０７】
次に、本実施形態に係る診断支援方法の一例について、図２７のフローチャートを参照しながら説明する。第１表示制御部２０２Ａは、端点Ｅ及び交点Ｆの一方又は両方を含む特徴点Ｃを有する図形５００を示す図形データを表示装置１０１に出力して表示させる（ステップＳ４０１）。
【０２０８】
エリア設定部２１６は、特定エリアＢを示す特定エリアデータを表示装置１０１に出力する（ステップＳ４０２）。これにより、表示装置１０１の表示画面１０１Ｓにおいて、特徴点Ｃを含む特定エリアＢが表示画面１０１Ｓに設定される。
【０２０９】
第２表示制御部２０２Ｂは、特定エリアＢを強調させる強調指令データを表示装置１０１に出力する（ステップＳ４０３）。これにより、複数の特定エリアＢのそれぞれが順次強調表示される動画の再生が開始される。
【０２１０】
評価部２２２は、動画の再生時間を確認するためのタイマをリセットする（ステップＳ４０４）。
【０２１１】
演算部２２０は、注視点が特定エリアＢ１に存在した存在時間Ｔｓｅ１を算出するためのカウンタＣＮＴ１、注視点が特定エリアＢ２に存在した存在時間Ｔｓｅ２を算出するためのカウンタＣＮＴ２、注視点が特定エリアＢ３に存在した存在時間Ｔｓｅ３を算出するためのカウンタＣＮＴ３、注視点が特定エリアＢ４に存在した存在時間Ｔｓｅ４を算出するためのカウンタＣＮＴ４、注視点が特定エリアＢ５に存在した存在時間Ｔｓｅ５を算出するためのカウンタＣＮＴ５、注視点が特定エリアＢ６に存在した存在時間Ｔｓｅ６を算出するためのカウンタＣＮＴ６、及び注視点が特定エリアＢ（Ｂ１，Ｂ２，Ｂ３，Ｂ４，Ｂ５，Ｂ６）に存在しない（特定エリアＢ以外のエリアに存在した）非存在時間を算出するためのカウンタＣＮＴ０をリセットする（ステップＳ４０５）。
【０２１２】
光源制御部２０４は、照明装置１０３を制御して、被験者の眼に検出光を照射する。画像データ取得部２０６は、ステレオカメラ装置１０２で取得された被験者の眼球１１１の画像データを取得する（ステップＳ４０６）。注視点検出部２１４は、被験者の眼球１１１の画像データに基づいて、表示画面１０１Ｓにおける被験者の注視点の位置データを検出する（ステップＳ４０７）。
【０２１３】
注視点検出部２１４は、被験者の注視点の位置データの検出が失敗したか否かを判定する（ステップＳ４０８）。
【０２１４】
ステップＳ４０８において、被験者の注視点の位置データの検出が失敗したと判定された場合（ステップＳ４０８：Ｙｅｓ）、ステップＳ４１７の処理が実施される。
【０２１５】
ステップＳ４０８において、被験者の注視点の位置データの検出が成功したと判定された場合（ステップＳ４０８：Ｎｏ）、判定部２１８は、第２表示制御部２０２Ｂから出力される強調指令データに基づいて、複数の特定エリアＢのうち、強調表示されている特定エリアＢを検出する（ステップＳ４０９）。
【０２１６】
判定部２１８は、注視点の位置データに基づいて、注視点が特定エリアＢ１に存在するか否かを判定する（ステップＳ４１０）。
【０２１７】
ステップＳ４１０において、注視点が特定エリアＢ１に存在すると判定された場合（ステップＳ４１０：Ｙｅｓ）、判定部２１８は、注視点が特定エリアＢ１に存在すると判定した判定結果を示す判定データを生成して評価部２２２に出力する。評価部２２２は、カウンタＣＮＴ１をインクリメントする（ステップＳ４２１）。
【０２１８】
ステップＳ４１０において、注視点が特定エリアＢ１に存在しないと判定された場合（ステップＳ４１０：Ｎｏ）、判定部２１８は、注視点が特定エリアＢ１に存在しないと判定した判定結果を示す判定データを生成し、注視点の位置データに基づいて、注視点が特定エリアＢ２に存在するか否かを判定する（ステップＳ４１１）。
【０２１９】
ステップＳ４１１において、注視点が特定エリアＢ２に存在すると判定された場合（ステップＳ４１１：Ｙｅｓ）、判定部２１８は、注視点が特定エリアＢ２に存在すると判定した判定結果を示す判定データを生成して評価部２２２に出力する。評価部２２２は、カウンタＣＮＴ２をインクリメントする（ステップＳ４２２）。
【０２２０】
ステップＳ４１１において、注視点が特定エリアＢ２に存在しないと判定された場合（ステップＳ４１１：Ｎｏ）、判定部２１８は、注視点が特定エリアＢ２に存在しないと判定した判定結果を示す判定データを生成し、注視点の位置データに基づいて、注視点が特定エリアＢ３に存在するか否かを判定する（ステップＳ４１２）。
【０２２１】
ステップＳ４１２において、注視点が特定エリアＢ３に存在すると判定された場合（ステップＳ４１２：Ｙｅｓ）、判定部２１８は、注視点が特定エリアＢ３に存在すると判定した判定結果を示す判定データを生成して評価部２２２に出力する。評価部２２２は、カウンタＣＮＴ３をインクリメントする（ステップＳ４２３）。
【０２２２】
ステップＳ４１２において、注視点が特定エリアＢ３に存在しないと判定された場合（ステップＳ４１２：Ｎｏ）、判定部２１８は、注視点が特定エリアＢ３に存在しないと判定した判定結果を示す判定データを生成し、注視点の位置データに基づいて、注視点が特定エリアＢ４に存在するか否かを判定する（ステップＳ４１３）。
【０２２３】
ステップＳ４１３において、注視点が特定エリアＢ４に存在すると判定された場合（ステップＳ４１３：Ｙｅｓ）、判定部２１８は、注視点が特定エリアＢ４に存在すると判定した判定結果を示す判定データを生成して評価部２２２に出力する。評価部２２２は、カウンタＣＮＴ４をインクリメントする（ステップＳ４２４）。
【０２２４】
ステップＳ４１３において、注視点が特定エリアＢ４に存在しないと判定された場合（ステップＳ４１３：Ｎｏ）、判定部２１８は、注視点が特定エリアＢ４に存在しないと判定した判定結果を示す判定データを生成し、注視点の位置データに基づいて、注視点が特定エリアＢ５に存在するか否かを判定する（ステップＳ４１４）。
【０２２５】
ステップＳ４１４において、注視点が特定エリアＢ５に存在すると判定された場合（ステップＳ４１４：Ｙｅｓ）、判定部２１８は、注視点が特定エリアＢ５に存在すると判定した判定結果を示す判定データを生成して評価部２２２に出力する。評価部２２２は、カウンタＣＮＴ５をインクリメントする（ステップＳ４２５）。
【０２２６】
ステップＳ４１４において、注視点が特定エリアＢ５に存在しないと判定された場合（ステップＳ４１４：Ｎｏ）、判定部２１８は、注視点が特定エリアＢ５に存在しないと判定した判定結果を示す判定データを生成し、注視点の位置データに基づいて、注視点が特定エリアＢ６に存在するか否かを判定する（ステップＳ４１５）。
【０２２７】
ステップＳ４１５において、注視点が特定エリアＢ６に存在すると判定された場合（ステップＳ４１５：Ｙｅｓ）、判定部２１８は、注視点が特定エリアＢ６に存在すると判定した判定結果を示す判定データを生成して評価部２２２に出力する。評価部２２２は、カウンタＣＮＴ６をインクリメントする（ステップＳ４２６）。
【０２２８】
ステップＳ４１５において、注視点が特定エリアＢ６に存在しないと判定された場合（ステップＳ４１５：Ｎｏ）、判定部２１８は、注視点が特定エリアＢ６に存在しないと判定した判定結果を示す判定データを生成して評価部２２２に出力する。
【０２２９】
ステップＳ４１５において、注視点が特定エリアＢ６に存在しないと判定された場合、注視点は複数の特定エリアＢ１，Ｂ２，Ｂ３，Ｂ４，Ｂ５，Ｂ６のいずれにも存在しないと判定される。判定部２１８は、カウンタＣＮＴ０をインクリメントする（ステップＳ４１６）。
【０２３０】
評価部２２２は、動画の再生時間のタイマが終了したか否かを確認する（ステップＳ４１７）。
【０２３１】
ステップＳ４１７において、タイマは終了していないと判定された場合（ステップＳ４１７：Ｎｏ）、ステップＳ４０６の処理を実施する。
【０２３２】
ステップＳ４１７において、タイマが終了したと判定された場合（ステップＳ４１７：Ｙｅｓ）、第１表示制御部２０２Ａ及び第２表示制御部２０２Ｂは、図形５００を表示装
置１０１に表示させる処理を終了する（ステップ４１８）。
【０２３３】
本実施形態においては、ステップＳ４０６からステップ４１７までの処理、及びステップ４２１からステップＳ４２６までの処理が、規定のサンプリング周期で実施される。
【０２３４】
評価部２２２は、判定部２１８で生成された判定データに基づいて、強調時間Ｔｄのうち注視点が特定エリアＢに存在した存在時間Ｔｓを示す評価データを算出する（ステップＳ４１９）。
【０２３５】
本実施形態において、判定データは、カウンタＣＮＴ０のカウント値Ｍ０、カウンタＣＮＴ１のカウント値Ｍ１、カウンタＣＮＴ２のカウント値Ｍ２、カウンタＣＮＴ３のカウント値Ｍ３、カウンタＣＮＴ４のカウント値Ｍ４、カウンタＣＮＴ５のカウント値Ｍ５、及びカウンタＣＮＴ６のカウント値Ｍ６を含む。
【０２３６】
強調時間Ｔｄは、ある特定エリアＢが強調表示されている強調時間Ｔｄにおける、カウント値Ｍ０とカウント値Ｍ１とカウント値Ｍ２とカウント値Ｍ３とカウント値Ｍ４とカウント値Ｍ５とカウント値Ｍ６との和のカウント値Ｍｄを含む。
【０２３７】
存在時間Ｔｓｅ１は、特定エリアＢ１が強調表示されているときのカウント値Ｍ１を含む。存在時間Ｔｓｅ２は、特定エリアＢ２が強調表示されているときのカウント値Ｍ２を含む。存在時間Ｔｓｅ３は、特定エリアＢ３が強調表示されているときのカウント値Ｍ３を含む。存在時間Ｔｓｅ４は、特定エリアＢ４が強調表示されているときのカウント値Ｍ４を含む。存在時間Ｔｓｅ５は、特定エリアＢ５が強調表示されているときのカウント値Ｍ５を含む。存在時間Ｔｓｅ６は、特定エリアＢ６が強調表示されているときのカウント値Ｍ６を含む。
【０２３８】
強調表示されている特定エリアＢに注視点が存在するトータルの存在時間Ｔｓは、特定エリアＢ１が強調表示されているときのカウント値Ｍ１と、特定エリアＢ２が強調表示されているときのカウント値Ｍ２と、特定エリアＢ３が強調表示されているときのカウント値Ｍ３と、特定エリアＢ４が強調表示されているときのカウント値Ｍ４と、特定エリアＢ５が強調表示されているときのカウント値Ｍ５と、特定エリアＢ６が強調表示されているときのカウント値Ｍ６との和のカウント値Ｍｓを含む。
【０２３９】
評価データは、ある特定エリアＢが強調表示されているときのカウント値Ｍｄに対する、その強調表示されている特定エリアＢについてカウントされたカウント値Ｍｓの割合を含む。演算部２２０は、［Ｍｄ／Ｍｓ］の演算処理を実施して、時間データを算出する。
【０２４０】
（３Ａ）式を参照して説明したように、交点Ｆに重み付けする場合、演算部２２０は、以下の（３Ｂ）式の演算処理を実施して、カウント値Ｍｓを算出する。カウント値Ｍｓｅは、特定エリアＢ１が強調表示されているときのカウント値Ｍ１と、特定エリアＢ２が強調表示されているときのカウント値Ｍ２と、特定エリアＢ３が強調表示されているときのカウント値Ｍ３と、特定エリアＢ４が強調表示されているときのカウント値Ｍ４と、特定エリアＢ５が強調表示されているときのカウント値Ｍ５との和である。カウント値Ｍｓｆは、特定エリアＢ６が強調表示されているときのカウント値Ｍ６を示す。
【０２４１】
Ｍｓ＝ｋ１×Ｍｓｅ＋ｋ２×Ｍｓｆ      …（３Ｂ）
但し、
Ｍｓｅ＝Ｍ１＋Ｍ２＋Ｍ３＋Ｍ４＋Ｍ５、
ｋ１＋ｋ２＝１、
ｋ１＜ｋ２、である。
【０２４２】
評価データが算出された後、評価部２２２は、演算部２２０で算出された時間データと、記憶部２２４に記憶されている閾値データとに基づいて、被験者の認知入力が改善したことを示す第３評価データ、及び被験者の認知入力が十分に改善されていないことを示す第４評価データのいずれか一方を出力する。出力制御部２２６は、評価データを出力装置５０に出力する（ステップＳ４２０）。
【０２４３】
以上説明したように、本実施形態によれば、端点Ｅ及び交点Ｆの一方又は両方を含む特徴点Ｃを複数有する図形５００が表示装置１０１に表示され、表示装置１０１の表示画面１０１Ｓにおいて特徴点Ｃを含む特定エリアＢが複数設定される。それら複数の特定エリアＢのそれぞれが順次強調表示されるので、被験者が強調表示された特定エリアＢの特徴点Ｃを見ることにより、被験者の認知入力を改善するためのトレーニングが効果的に支援される。また、注視点が強調表示された特定エリアＢに存在するか否かが判定され、その判定データに基づいて評価データが出力されるので、訓練者は、トレーニングの効果を把握することができる。
【０２４４】
また、本実施形態においては、評価部２２２は、判定部２１８の判定データに基づいて、強調時間Ｔｄに対する存在時間Ｔｓを算出して、評価データを出力する。これにより、訓練者は、トレーニングの効果を客観的に判断することができる。
【０２４５】
また、本実施形態によれば、存在時間Ｔｓについての閾値を示す閾値データが予め求められ記憶部２２４に記憶されている。したがって、評価部２２２は、強調時間Ｔｄに対する存在時間Ｔｓの割合が閾値以上のときに、被験者の認知入力が改善されていることを示す第３評価データを出力し、強調時間Ｔｄに対する存在時間Ｔｓの割合が閾値未満のときに、被験者の認知入力が十分に改善されていないことを示す第４評価データを出力することができる。
【０２４６】
また、本実施形態によれば、評価部２２２は、複数の特定エリアＢのそれぞれについての強調時間Ｔｄに対する存在時間Ｔｓの割合の全部が閾値以上のときに第３評価データを出力する。これにより、評価部２２２は、正しい評価データを出力することができる。
【０２４７】
また、本実施形態によれば、評価部２２２は、交点Ｆを含む特定エリアＢ６に注視点が存在した存在時間Ｔｓｆに、端点Ｅを含む特定エリアＢ１，Ｂ２，Ｂ３，Ｂ４，Ｂ５に注視点が存在した存在時間Ｔｓｅよりも重みを付けて評価データを出力する。これにより、評価データの精度は向上する。
【０２４８】
＜第３実施形態＞
第３実施形態について説明する。以下の説明において上述の実施形態と同一又は同等の構成要素については同一の符号を付し、その説明を簡略又は省略する。
【０２４９】
本実施形態においては、視覚認知障がいの診断支援方法及びトレーニング支援方法に仕様される特定の図形６００の一例について説明する。図２８は、本実施形態に係る図形６００の一例を示す図である。
【０２５０】
図２８に示すように、図形６００は、ライン６０１，６０２，６０３，６０４，６０５，６０６の集合体である。ライン６０１，６０２，６０３，６０４，６０５，６０６はそれぞれ直線である。なお、ライン６０１，６０２，６０３，６０４，６０５，６０６の少なくとも１つが曲線でもよい。
【０２５１】
ライン６０１の端とライン６０２の端とライン６０６の端とが接続され、交点Ｆ１が形成される。ライン６０２の端とライン６０３の端とが接続され、交点Ｆ２が形成される。ライン６０３の中央部とライン６０５の端とが接続され、交点Ｆ３が形成される。ライン６０３の端とライン６０４の端とライン６０６の端とが接続され、交点Ｆ４が形成される。ライン６０１の端とライン６０４の端とライン６０５の端とが接続され、交点Ｆ５が形成される。交点Ｆ１と交点Ｆ４を結んだ直線をライン６０６として、ライン６０５（の中央部）とライン６０６（の中央部）とが交差し、交点Ｆ６が形成される。
【０２５２】
本実施形態において、特徴点Ｃは、６つの交点Ｆ（Ｆ１，Ｆ２，Ｆ３，Ｆ４，Ｆ５，Ｆ６）を含む。本実施形態において、図形６００は、端点Ｅを有しない。
【０２５３】
図２９は、本実施形態に係る特定エリアＡ（Ａ１，Ａ２，Ａ３，Ａ４，Ａ５，Ａ６）の一例を示す図である。図２９に示すように、複数の交点Ｆのそれぞれに特定エリアＡが設定される。図２９に示す例において、特定エリアＡは、交点Ｆを中心とする円形エリアである。
【０２５４】
図３０から図３５は、トレーニング支援方法において、複数の交点Ｆに設定された特定エリアＢが強調表示される例を示す。図３０は、特定エリアＢ１が強調表示された状態の一例を示す図である。図３１は、特定エリアＢ２が強調表示された状態の一例を示す図である。図３２は、特定エリアＢ３が強調表示された状態の一例を示す図である。図３３は、特定エリアＢ４が強調表示された状態の一例を示す図である。図３４は、特定エリアＢ５が強調表示された状態の一例を示す図である。図３５は、特定エリアＢ６が強調表示された状態の一例を示す図である。
【０２５５】
以上説明したように、診断支援方法及びトレーニング支援方法に使用される図形は、端点を有しなくてもよい。本実施形態に係る図形６００を用いることによっても、視覚認知障がいの診断及びトレーニングを効果的に支援することができる。
【０２５６】
なお、上述の実施形態において、診断支援方法及びトレーニング支援方法に使用される図形は、端点を有し、交点を有しなくてもよい。例えば、相互に離れた複数のラインからなる図形を使って、診断支援方法及びトレーニング支援方法が実施されてもよい。
【符号の説明】
【０２５７】
２０  コンピュータシステム、２０Ａ  演算処理装置、２０Ｂ  記憶装置、３０  入出力インターフェース装置、４０  駆動回路、５０  出力装置、６０  入力装置、７０  音声出力装置、１００  視線検出装置（診断支援装置、トレーニング支援装置）、１０１  表示装置、１０１Ｓ  表示画面、１０２  ステレオカメラ装置、１０２Ａ  第１カメラ、１０２Ａ  第２カメラ、１０３  照明装置、１０３Ａ  第１光源、１０３Ｂ  第２光源、１０３Ｃ  光源、１０３Ｖ  仮想光源、１０９  角膜曲率半径、１１０  角膜曲率中心、１１１  眼球、１１２  瞳孔、１１２Ｃ  瞳孔中心、１１３  角膜反射像、１１３Ｃ  角膜反射中心、１２１  角膜反射中心、１２２  角膜反射中心、１２３  直線、１２４  角膜反射中心、１２６  距離、１３０  目標位置、１６５  注視点、１６６  注視点、２０２  表示制御部、２０２Ａ  第１表示制御部、２０２Ｂ  第２表示制御部、２０４  光源制御部、２０６  画像データ取得部、２０８  入力データ取得部、２１０  位置検出部、２１２  曲率中心算出部、２１４  注視点検出部、２１６  エリア設定部、２１８  判定部、２２０  演算部、２２２  評価部、２２４  記憶部、２２６  出力制御部、３０２  入出力部、４０２  表示装置駆動部、４０４Ａ  第１カメラ入出力部、４０４Ｂ  第２カメラ入出力部、４０６  光源駆動部、５００  図形、５０１  ライン、５０２  ライン、５０３  ライン、５０４  ライン、５０５  ライン、６００  図形、６０１  ライン、６０２  ライン、６０３  ライン、６０４  ライン、６０５  ライン、６０６  ライン、Ａ  特定エリア、Ａ１，Ａ２，Ａ３，Ａ４，Ａ５，Ａ６  特定エリア、Ｂ  特定エリア、Ｂ１，Ｂ２，Ｂ３，Ｂ４，Ｂ５，Ｂ６  特定エリア、Ｃ  特徴点、Ｅ  端点、Ｅ１，Ｅ２，Ｅ３，Ｅ４、Ｅ５  端点、Ｆ  交点。
【図１】
2020072988.tif 000003
【図２】
2020072988.tif 000004
【図３】
2020072988.tif 000005
【図４】
2020072988.tif 000006
【図５】
2020072988.tif 000007
【図６】
2020072988.tif 000008
【図７】
2020072988.tif 000009
【図８】
2020072988.tif 000010
【図９】
2020072988.tif 000011
【図１０】
2020072988.tif 000012
【図１１】
2020072988.tif 000013
【図１２】
2020072988.tif 000014
【図１３】
2020072988.tif 000015
【図１４】
2020072988.tif 000016
【図１５】
2020072988.tif 000017
【図１６】
2020072988.tif 000018
【図１７】
2020072988.tif 000019
【図１８】
2020072988.tif 000020
【図１９】
2020072988.tif 000021
【図２０】
2020072988.tif 000022
【図２１】
2020072988.tif 000023
【図２２】
2020072988.tif 000024
【図２３】
2020072988.tif 000025
【図２４】
2020072988.tif 000026
【図２５】
2020072988.tif 000027
【図２６】
2020072988.tif 000028
【図２７】
2020072988.tif 000029
【図２８】
2020072988.tif 000030
【図２９】
2020072988.tif 000031
【図３０】
2020072988.tif 000032
【図３１】
2020072988.tif 000033
【図３２】
2020072988.tif 000034
【図３３】
2020072988.tif 000035
【図３４】
2020072988.tif 000036
【図３５】
2020072988.tif 000037